(57)【要約】【課題】シャッターの遠隔操作におけるユーザの利便性を向上させることが可能となる、シャッター側制御装置、及びシャッターの制御システムを提供すること。【解決手段】シャッター側制御装置８０は、シャッターカーテン３０の状態を制御するシャッター側制御装置８０であり、操作部と外部ネットワーク１３０を介さずに通信可能に接続されていると共に、携帯端末１２０と外部ネットワーク１３０を介して通信可能に接続されているシャッター側制御装置８０であって、第１操作信号を受信する制御部と、第２操作信号を受信する通信部と、第１操作信号が受信された場合の第１制御と第２操作信号が受信された場合の第２制御とを行う状態制御部とを備え、第１制御によってシャッターカーテン３０の状態を所定の状態に制御する制御内容と、第２制御によってシャッターカーテン３０の状態を所定の状態に制御する制御内容とをそれぞれ異ならせた。【選択図】図１
2018084044.tif 000002
【特許請求の範囲】
【請求項１】
建物の開口部の開閉を行うためのシャッターカーテンの状態を制御するためのシャッター側制御装置であり、第１操作端末と外部ネットワークを介さずに通信可能に接続されていると共に、第２操作端末と前記外部ネットワークを介して通信可能に接続されているシャッター側制御装置であって、
前記シャッターカーテンの状態を制御するための第１操作信号を前記第１操作端末から受信し、又は前記シャッターカーテンの状態を制御するための第２操作信号を前記第２操作端末から受信する通信手段と、
前記通信手段にて受信された前記第１操作信号に基づいて前記シャッターカーテンの状態を制御する第１制御と、前記通信手段にて受信された前記第２操作信号に基づいて前記シャッターカーテンの状態を制御する第２制御と、を行う状態制御手段と、を備え、
前記第１制御によって前記シャッターカーテンの状態を所定の状態に制御するための制御内容と、前記第２制御によって前記シャッターカーテンの状態を前記所定の状態に制御するための制御内容とをそれぞれ異ならせ、又は／及び、前記第１制御によって制御される前記シャッターカーテンの状態の種類である第１の状態種類と、前記第２制御によって制御される前記シャッターカーテンの状態の種類である第２の状態種類とをそれぞれ異ならせた、
シャッター側制御装置。
【請求項２】
前記第１操作信号又は前記第２操作信号は、前記シャッターカーテンの状態を前記所定の状態に制御するための信号であり、
前記状態制御手段は、
前記通信手段にて前記第１操作信号が受信された場合における前記所定の状態に制御する前記第１制御と、前記通信手段にて前記第２操作信号が受信された場合における前記所定の状態に制御する前記第２制御とがそれぞれ異なるように、前記シャッターカーテンの制御を行う、
請求項１に記載のシャッター側制御装置。
【請求項３】
前記第１の状態種類は、少なくとも、前記シャッターカーテンによって前記開口部を全閉した全閉状態と、前記シャッターカーテンによって前記開口部を全開した全開状態とを含み、
前記第２の状態種類は、前記全閉状態のみを含み、
前記第１操作信号は、前記シャッターカーテンの状態を少なくとも前記全閉状態又は前記全開状態に制御するための信号であり、
前記第２操作信号は、前記シャッターカーテンの状態を前記全閉状態のみに制御するための信号であり、
前記状態制御手段は、
前記通信手段にて前記第１操作信号が受信された場合に、前記シャッターカーテンの状態を少なくとも前記全閉状態又は前記全開状態に制御する前記第１制御を行い、
前記通信手段にて前記第２操作信号が受信された場合に、前記シャッターカーテンの状態を前記全閉状態のみに制御する前記第２制御を行う、
請求項１又は２に記載のシャッター側制御装置。
【請求項４】
前記シャッターカーテンの状態を制御する旨を示す報知情報を出力する出力手段を備え、
前記状態制御手段は、
前記通信手段にて前記第１操作信号が受信された場合に、前記出力手段によって前記報知情報を出力させることなく、前記シャッターカーテンの状態を制御する前記第１制御を行い、
前記通信手段にて前記第２操作信号が受信された場合に、前記出力手段によって前記報知情報を出力させると共に、前記シャッターカーテンの状態を制御する前記第２制御を行う、
請求項１から３のいずれか一項に記載のシャッター側制御装置。
【請求項５】
前記状態制御手段は、前記第２制御において、前記報知情報の出力を所定時間行った後に前記シャッターカーテンの状態を制御する、
請求項４に記載のシャッター側制御装置。
【請求項６】
前記状態制御手段は、前記第２制御において、前記報知情報の出力を、第１の出力態様で前記所定時間の一部の間行った後に、前記第１の出力態様とは異なる第２の出力態様で前記所定時間の他の一部の間行う、
請求項５に記載のシャッター側制御装置。
【請求項７】
前記状態制御手段は、前記第２制御において、前記報知情報の出力を、前記シャッターカーテンの状態の制御を開始してから終了するまでの間行う、
請求項４から６のいずれか一項に記載のシャッター側制御装置。
【請求項８】
前記シャッターカーテンに関する異常を検知する異常検知手段を備え、
前記状態制御手段は、前記第２制御において、前記異常検知手段にて異常が検知された場合には、前記異常が解除されるまで、前記通信手段にて前記第２操作信号が受信されても前記シャッターカーテンの状態を制御しない、
請求項１から７のいずれか一項に記載のシャッター側制御装置。
【請求項９】
前記状態制御手段は、前記第１制御が行われているときに前記通信手段にて前記第２操作信号が受信された場合、又は前記第２制御が行われているときに前記通信手段にて前記第１操作信号が受信された場合には、前記第１制御を前記第２制御よりも優先させる、
請求項１から８のいずれか一項に記載のシャッター側制御装置。
【請求項１０】
前記第２制御を有効にするか否かを切り替える切替手段を備えた、
請求項１から９のいずれか一項に記載のシャッター側制御装置。
【請求項１１】
建物の開口部の開閉を行うためのシャッターカーテンの状態を制御する制御システムであって、
前記シャッターカーテンの制御を行うシャッター側制御装置と、
前記シャッター側制御装置と外部ネットワークを介さずに通信可能に接続されている第１操作端末と、
前記シャッター側制御装置と前記外部ネットワークを介して通信可能に接続されている第２操作端末と、を備え、
前記シャッター側制御装置は、
前記シャッターカーテンの状態を制御するための第１操作信号を前記第１操作端末から受信し、又は前記シャッターカーテンの状態を制御するための第２操作信号を前記第２操作端末から受信する通信手段と、
前記通信手段にて受信された前記第１操作信号に基づいて前記シャッターカーテンの状態を制御する第１制御と、前記通信手段にて受信された前記第２操作信号に基づいて前記シャッターカーテンの状態を制御する第２制御と、を行う状態制御手段と、を備え、
前記第１制御によって前記シャッターカーテンの状態を所定の状態に制御するための制御内容と、前記第２制御によって前記シャッターカーテンの状態を前記所定の状態に制御するための制御内容とをそれぞれ異ならせ、又は／及び、前記第１制御によって制御される前記シャッターカーテンの状態の種類である第１の状態種類と、前記第２制御によって制御される前記シャッターカーテンの状態の種類である第２の状態種類とをそれぞれ異ならせた、
シャッターの制御システム。
【発明の詳細な説明】
【技術分野】
【０００１】
本発明は、シャッター側制御装置、及びシャッターの制御システムに関する。
【背景技術】
【０００２】
従来、建物に設置されたシャッターの遠隔操作を制御する技術の一つとして、シャッターを制御する開閉体制御装置と、シャッターカーテンの開閉動作を操作するための専用のリモコン操作スイッチと、開閉体制御装置と外部ネットワーク（例えば、インターネット）を介して通信可能に接続された携帯通信端末であって、リモコン操作スイッチと同様の操作を行うことが可能な携帯通信端末とを備えたシステムが提案されている（例えば、特許文献１参照）。このような技術によれば、例えば建物から離れた場所にいる携帯通信端末のユーザによって当該携帯通信端末を介して操作が行われた場合に、リモコン操作スイッチの操作によるシャッターカーテンの開閉動作の制御（以下、「リモコン制御」と称する）と同じ制御を行うことができる。
【先行技術文献】
【特許文献】
【０００３】
【特許文献１】特開２０１３−１６３９５８号公報
【発明の概要】
【発明が解決しようとする課題】
【０００４】
しかしながら、上記従来の技術においては、上述したように、リモコン制御と携帯通信端末の操作によるシャッターカーテンの開閉動作の制御（以下、「携帯制御」と称する）とが同じ制御内容であるので、例えば、リモコン制御及び携帯制御が単にシャッターカーテンを閉鎖動作させる制御である場合には、建物から離れた場所にいる携帯通信端末のユーザの操作によって携帯制御が行われた場合に、当該ユーザがシャッターの周囲の状況を把握することが非常に難しいことから、建物にいる人が外に締め出される可能性があった。また、上述したように、リモコン操作スイッチ及び携帯通信端末の各々の操作の種類（すなわち、これら端末によって制御可能なシャッターカーテンの状態の種類）が同じであるので、例えば、リモコン制御及び携帯制御でシャッターカーテンを開放動作させる制御ができる場合において、建物から離れた場所にいる携帯通信端末のユーザの操作によって携帯制御が行われた場合に、当該ユーザがシャッターの周囲の状況を把握することが非常に難しいことから、シャッターカーテンを不用意に開放してしまう可能性があった。以上のことから、シャッターの遠隔操作におけるユーザの利便性の観点からは改善の余地があった。
【０００５】
本発明は、上記従来技術における課題を解決するためのものであって、シャッターの遠隔操作におけるユーザの利便性を向上させることが可能となる、シャッター側制御装置、及びシャッターの制御システムを提供することを目的とする。
【課題を解決するための手段】
【０００６】
上述した課題を解決し、目的を達成するために、請求項１に記載のシャッター側制御装置は、建物の開口部の開閉を行うためのシャッターカーテンの状態を制御するためのシャッター側制御装置であり、第１操作端末と外部ネットワークを介さずに通信可能に接続されていると共に、第２操作端末と前記外部ネットワークを介して通信可能に接続されているシャッター側制御装置であって、前記シャッターカーテンの状態を制御するための第１操作信号を前記第１操作端末から受信し、又は前記シャッターカーテンの状態を制御するための第２操作信号を前記第２操作端末から受信する通信手段と、前記通信手段にて受信された前記第１操作信号に基づいて前記シャッターカーテンの状態を制御する第１制御と、前記通信手段にて受信された前記第２操作信号に基づいて前記シャッターカーテンの状態を制御する第２制御と、を行う状態制御手段と、を備え、前記第１制御によって前記シャッターカーテンの状態を所定の状態に制御するための制御内容と、前記第２制御によって前記シャッターカーテンの状態を前記所定の状態に制御するための制御内容とをそれぞれ異ならせ、又は／及び、前記第１制御によって制御される前記シャッターカーテンの状態の種類である第１の状態種類と、前記第２制御によって制御される前記シャッターカーテンの状態の種類である第２の状態種類とをそれぞれ異ならせた。
【０００７】
請求項２に記載のシャッター側制御装置は、請求項１に記載のシャッター側制御装置において、前記第１操作信号又は前記第２操作信号は、前記シャッターカーテンの状態を前記所定の状態に制御するための信号であり、前記状態制御手段は、前記通信手段にて前記第１操作信号が受信された場合における前記所定の状態に制御する前記第１制御と、前記通信手段にて前記第２操作信号が受信された場合における前記所定の状態に制御する前記第２制御とがそれぞれ異なるように、前記シャッターカーテンの制御を行う。
【０００８】
請求項３に記載のシャッター側制御装置は、請求項１又は２に記載のシャッター側制御装置において、前記第１の状態種類は、少なくとも、前記シャッターカーテンによって前記開口部を全閉した全閉状態と、前記シャッターカーテンによって前記開口部を全開した全開状態とを含み、前記第２の状態種類は、前記全閉状態のみを含み、前記第１操作信号は、前記シャッターカーテンの状態を少なくとも前記全閉状態又は前記全開状態に制御するための信号であり、前記第２操作信号は、前記シャッターカーテンの状態を前記全閉状態のみに制御するための信号であり、前記状態制御手段は、前記通信手段にて前記第１操作信号が受信された場合に、前記シャッターカーテンの状態を少なくとも前記全閉状態又は前記全開状態に制御する前記第１制御を行い、前記通信手段にて前記第２操作信号が受信された場合に、前記シャッターカーテンの状態を前記全閉状態のみに制御する前記第２制御を行う。
【０００９】
請求項４に記載のシャッター側制御装置は、請求項１から３のいずれか一項に記載のシャッター側制御装置において、前記シャッターカーテンの状態を制御する旨を示す報知情報を出力する出力手段を備え、前記状態制御手段は、前記通信手段にて前記第１操作信号が受信された場合に、前記出力手段によって前記報知情報を出力させることなく、前記シャッターカーテンの状態を制御する前記第１制御を行い、前記通信手段にて前記第２操作信号が受信された場合に、前記出力手段によって前記報知情報を出力させると共に、前記シャッターカーテンの状態を制御する前記第２制御を行う。
【００１０】
請求項５に記載のシャッター側制御装置は、請求項４に記載のシャッター側制御装置において、前記状態制御手段は、前記第２制御において、前記報知情報の出力を所定時間行った後に前記シャッターカーテンの状態を制御する。
【００１１】
請求項６に記載のシャッター側制御装置は、請求項５に記載のシャッター側制御装置において、前記状態制御手段は、前記第２制御において、前記報知情報の出力を、第１の出力態様で前記所定時間の一部の間行った後に、前記第１の出力態様とは異なる第２の出力態様で前記所定時間の他の一部の間行う。
【００１２】
請求項７に記載のシャッター側制御装置は、請求項４から６のいずれか一項に記載のシャッター側制御装置において、前記状態制御手段は、前記第２制御において、前記報知情報の出力を、前記シャッターカーテンの状態の制御を開始してから終了するまでの間行う。
【００１３】
請求項８に記載のシャッター側制御装置は、請求項１から７のいずれか一項に記載のシャッター側制御装置において、前記シャッターカーテンに関する異常を検知する異常検知手段を備え、前記状態制御手段は、前記第２制御において、前記異常検知手段にて異常が検知された場合には、前記異常が解除されるまで、前記通信手段にて前記第２操作信号が受信されても前記シャッターカーテンの状態を制御しない。
【００１４】
請求項９に記載のシャッター側制御装置は、請求項１から８のいずれか一項に記載のシャッター側制御装置において、前記状態制御手段は、前記第１制御が行われているときに前記通信手段にて前記第２操作信号が受信された場合、又は前記第２制御が行われているときに前記通信手段にて前記第１操作信号が受信された場合には、前記第１制御を前記第２制御よりも優先させる。
【００１５】
請求項１０に記載のシャッター側制御装置は、請求項１から９のいずれか一項に記載のシャッター側制御装置において、前記第２制御を有効にするか否かを切り替える切替手段を備えた。
【００１６】
請求項１１に記載のシャッターの制御システムは、建物の開口部の開閉を行うためのシャッターカーテンの状態を制御する制御システムであって、前記シャッターカーテンの制御を行うシャッター側制御装置と、前記シャッター側制御装置と外部ネットワークを介さずに通信可能に接続されている第１操作端末と、前記シャッター側制御装置と前記外部ネットワークを介して通信可能に接続されている第２操作端末と、を備え、前記シャッター側制御装置は、前記シャッターカーテンの状態を制御するための第１操作信号を前記第１操作端末から受信し、又は前記シャッターカーテンの状態を制御するための第２操作信号を前記第２操作端末から受信する通信手段と、前記通信手段にて受信された前記第１操作信号に基づいて前記シャッターカーテンの状態を制御する第１制御と、前記通信手段にて受信された前記第２操作信号に基づいて前記シャッターカーテンの状態を制御する第２制御と、を行う状態制御手段と、を備え、前記第１制御によって前記シャッターカーテンの状態を所定の状態に制御するための制御内容と、前記第２制御によって前記シャッターカーテンの状態を前記所定の状態に制御するための制御内容とをそれぞれ異ならせ、又は／及び、前記第１制御によって制御される前記シャッターカーテンの状態の種類である第１の状態種類と、前記第２制御によって制御される前記シャッターカーテンの状態の種類である第２の状態種類とをそれぞれ異ならせた。
【発明の効果】
【００１７】
請求項１に記載のシャッター側制御装置又は請求項１１に記載のシャッターの制御システムによれば、第１制御によってシャッターカーテンの状態を所定の状態に制御するための制御内容と、第２制御によってシャッターカーテンの状態を所定の状態に制御するための制御内容とをそれぞれ異ならせたので、建物にいる人の安全性の確保、シャッターの使用性の確保、又は建物のセキュリティの確保を、第１制御を行う場合には第１操作端末のユーザに委ねる一方で、第２制御を行う場合には自動的な制御により行うことができる。また、第１の状態種類と第２の状態種類とをそれぞれ異ならせたので、第１の状態種類と第２の状態種類とを同一とした場合に比べて、第２制御において、建物にいる人の安全性の確保、シャッターの使用性の確保、又は建物のセキュリティの確保を考慮したシャッターカーテンの制御を行うことができる。以上のことから、従来技術（第１操作端末及び第２操作端末の各々の操作でシャッターカーテンの状態を所定の状態に制御する制御内容を同一とし、及び制御可能なシャッターカーテンの状態の種類を同一とする技術）に比べて、シャッターの遠隔操作におけるユーザの利便性を向上させることができる。
【００１８】
請求項２に記載のシャッター側制御装置によれば、状態制御手段が、通信手段にて第１操作信号が受信された場合における所定の状態に制御する第１制御と、通信手段にて第２操作信号が受信された場合における所定の状態に制御する第２制御とがそれぞれ異なるように、シャッターカーテンの制御を行うので、第１制御にてシャッターカーテンの状態を所定の状態に制御することと、第２制御にてシャッターカーテンの状態を所定の状態に制御することを比較的簡易な処理にて切り替えることができ、シャッター側制御装置の処理負荷を低減することが可能となる。
【００１９】
請求項３に記載のシャッター側制御装置によれば、状態制御手段が、通信手段にて第１操作信号が受信された場合に、シャッターカーテンの状態を少なくとも全閉状態又は全開状態に制御する第１制御を行い、通信手段にて第２操作信号が受信された場合に、シャッターカーテンの状態を全閉状態のみに制御する第２制御を行うので、第２の状態種類が全閉状態及びそれ以外の状態（例えば、全開状態又は後述する非全開閉状態）を含む場合に比べて、第２制御において、不用意に全開状態又は後述する非全開閉状態にすることを回避でき、建物のセキュリティの確保を考慮したシャッターカーテンの制御を効果的に行うことが可能となる。
【００２０】
請求項４に記載のシャッター側制御装置によれば、状態制御手段が、通信手段にて第１操作信号が受信された場合に、出力手段によって報知情報を出力させることなく、シャッターカーテンの状態を制御する第１制御を行い、通信手段にて第２操作信号が受信された場合に、出力手段によって報知情報を出力させると共に、シャッターカーテンの状態を制御する第２制御を行うので、第２制御において、シャッターカーテンの状態の制御を行う際に、報知情報を建物にいる人に対して提示でき、第２操作端末のユーザがシャッターの周囲の状況を把握できなくても、上記人がシャッターカーテンに挟まれたり、上記人が建物の外に締め出されることを抑制できる。よって、上記人の安全性やシャッターの使用性を考慮したシャッターカーテンの制御を効果的に行うことができる。
【００２１】
請求項５に記載のシャッター側制御装置によれば、状態制御手段が、第２制御において、報知情報の出力を所定時間行った後にシャッターカーテンの状態を制御するので、シャッターカーテンの状態の制御を行う前に建物にいる人に対して報知情報を提示できる。よって、例えば、シャッターカーテンの状態の制御を行う前に上記人がシャッターカーテンから離れることができるので、上記人がシャッターカーテンに挟まれたり、建物の外に締め出されることを一層抑制できる。
【００２２】
請求項６に記載のシャッター側制御装置によれば、状態制御手段が、第２制御において、報知情報の出力を、第１の出力態様で所定時間の一部の間行った後に、第２の出力態様で所定時間の他の一部の間行うので、建物にいる人が報知情報の出力態様に基づいてシャッターカーテンの状態の制御が開始されるタイミングが近づいているか否かを容易に把握することができ、上記人がシャッターカーテンに挟まれたり、建物の外に締め出されることをさらに一層抑制できる。
【００２３】
請求項７に記載のシャッター側制御装置によれば、状態制御手段が、第２制御において、報知情報の出力を、シャッターカーテンの状態の制御を開始してから終了するまでの間行うので、シャッターカーテンの状態を制御している間において報知情報を建物にいる人に対して提示でき、上記人がシャッターカーテンに挟まれたり、建物の外に締め出されることをさらに一層抑制できる。
【００２４】
請求項８に記載のシャッター側制御装置によれば、状態制御手段が、第２制御において、異常検知手段にて異常が検知された場合には、異常が解除されるまで、通信手段にて第２操作信号が受信されてもシャッターカーテンの状態を制御しないので、異常が検知された後に第２制御によってシャッターカーテンの状態を不用意に制御することを回避でき、例えばシャッターカーテン又は関連部品等が破損することを防止できる。
【００２５】
請求項９に記載のシャッター側制御装置によれば、状態制御手段が、第１制御が行われているときに通信手段にて第２操作信号が受信された場合、又は第２制御が行われているときに通信手段にて第１操作信号が受信された場合には、第１制御を第２制御よりも優先させるので、建物にいる人の状況に応じたシャッターカーテンの制御を行うことができ、上記人の安全性、シャッターの使用性、又は建物のセキュリティを考慮したシャッターカーテンの制御を効果的に行うことが可能となる。
【００２６】
請求項１０に記載のシャッター側制御装置によれば、第２制御を有効にするか否かを切り替える切替手段を備えたので、状況に応じて第２制御を有効にするか否かを切り替えることができ、建物にいる人の安全性、シャッターの使用性、又は建物のセキュリティを考慮したシャッターカーテンの制御を一層効果的に行うことが可能となる。
【図面の簡単な説明】
【００２７】
【図１】本発明の実施の形態に係る管理システムを概念的に示す図である。
【図２】シャッター側制御装置の電気的構成を示したブロック図である。
【図３】中央制御装置の電気的構成を示したブロック図である。
【図４】状態テーブルの構成例を示す図である。
【図５】端末装置の電気的構成を示したブロック図である。
【図６】第１操作テーブルの構成例を示す図である。
【図７】携帯端末の電気的構成を示したブロック図である。
【図８】第２操作テーブルの構成例を示す図である。
【図９】中央制御装置における状態制御処理のフローチャートである。
【図１０】シャッター側制御装置における状態制御処理のフローチャートである。
【図１１】第２制御処理のフローチャートである。
【図１２】異常処理のフローチャートである。
【発明を実施するための形態】
【００２８】
以下に添付図面を参照して、この発明に係るシャッター側制御装置、及びシャッターの制御システムの実施の形態を詳細に説明する。まず、〔Ｉ〕実施の形態の基本的概念を説明した後、〔ＩＩ〕実施の形態の具体的内容について説明し、最後に、〔ＩＩＩ〕実施の形態に対する変形例について説明する。ただし、実施の形態によって本発明が限定されるものではない。
【００２９】
〔Ｉ〕実施の形態の基本的概念
まず、実施の形態の基本的概念について説明する。実施の形態は、概略的に、建物の開口部の開閉を行うためのシャッターカーテンの状態を制御するためのシャッター側制御装置、及びシャッターの制御システムに関するものである。
【００３０】
ここで、「建物」とは、その具体的な構造や種類は任意であるが、例えば、戸建て住宅、アパートやマンションの如き集合住宅、オフィスビル、商業施設、及び公共施設等を含む概念である。また、「建物の開口部」とは、建物の躯体の一部分（例えば、壁、天井、又は床等）において窓や入り口を設置するために形成された開口部である。また、「シャッター」とは、防犯や防火のために、建物の開口部に取り付けられる巻上げ戸であり、例えば、電動式の窓シャッター等のシャッターカーテンを電動駆動可能な全ての形式のシャッターを含む概念である。また、シャッターの開閉方向は任意であり、例えば上下方向、左右方向等を含む概念である。また、「状態情報」とは、例えば、シャッターカーテンによって開口部を全閉した「全閉状態」と、シャッターカーテンによって開口部を全開した「全開状態」と、全閉状態とも全開状態とも異なる「非全開閉状態」とを含む概念である。ここで、「全閉」とは、開口部を隙間なく閉じることを意味する。また、「非全開閉状態」とは、例えば、開口部の一部を開いて開口部の他の一部を閉じている「半開状態」や後述する「スラット傾斜状態」等を含む概念である。以下、実施の形態では、シャッターが、戸建て住宅の如き建物の壁であって窓を有する壁に設けられた上下開閉式且つ電動式の窓シャッターである場合について説明する。
【００３１】
〔ＩＩ〕実施の形態の具体的内容
次に、実施の形態の具体的内容について説明する。
【００３２】
（構成）
最初に、実施の形態に係るシャッター側制御装置が適用される管理システムの構成について説明する。以下の説明では、図１のＸ方向をシャッターの左右方向（＋Ｘ方向をシャッターの左方向、−Ｘ方向をシャッターの右方向）、図１のＹ方向をシャッターの上下方向（＋Ｙ方向をシャッターの上方向、−Ｙ方向をシャッターの下方向）、Ｘ方向及びＹ方向に直交する方向を前後方向（図１の紙面の手前側に至る方向をシャッターの前方向（建物の屋外側の方向）、図１の紙面の奥側に至る方向をシャッターの後方向（建物の屋内側の方向））と称する。
【００３３】
図１に示すように、管理システム７０は、シャッターの管理を行うためのシステムであり、概略的に、シャッター１、シャッター側制御装置８０、中継装置９０、中央制御装置１００、端末装置１１０、及び携帯端末１２０を備えて構成されている。具体的には、中央制御装置１００が１台設けられ、この１台の中央制御装置１００に対して、シャッター１、シャッター側制御装置８０、及び中継装置９０が少なくとも１つ以上設けられていると共に、端末装置１１０及び携帯端末１２０の各々が少なくとも１台以上設けられている（以下、これらの装置からなるシステムを「シャッターシステム」と称する）。ただし、この管理システム７０の構成については、上述した構成に限られず、例えば、この１台の中央制御装置１００に対して、シャッターシステムに加えて、シャッター１に関する装置以外の装置からなるシステム（以下、「他のシステム」と称する）を少なくとも１つ以上設けることで、中央制御装置１００が他のシステムに関する制御も行ってもよい。また、「他のシステム」とは、例えば、太陽光電池パネル（図示省略）、分電盤（図示省略）、及び中継装置（図示省略）からなるシステムや、照明器具等の家電機器（図示省略）、及び中継装置（図示省略）からなるシステム等が該当する。以下、実施の形態では、管理システム７０においては、１台の中央制御装置１００に対して、シャッター１、シャッター側制御装置８０、及び中継装置９０が１つ設けられると共に、端末装置１１０及び携帯端末１２０がそれぞれ１台ずつ設けられているシャッターシステムが１つ設けられているものとして説明する。なお、上述した「シャッター側制御装置８０」、「シャッター側制御装置８０の操作部８１」、「端末装置１１０」、及び「携帯端末１２０」は、特許請求の範囲の「シャッター１の制御システム」を構成する構成要素に対応する。
【００３４】
また、この管理システム７０のうち、シャッター側制御装置８０、中継装置９０、中央制御装置１００、及び端末装置１１０の設置方法については任意であるが、実施の形態においては、シャッター側制御装置８０及び端末装置１１０を、建物の壁において建物にいる人が操作可能な位置（例えば、建物の床面から１ｍ程度離れた位置等）に設置しており、中継装置９０及び中央制御装置１００を、建物の壁又は天井に設置している。なお、携帯端末１２０は、当該携帯端末１２０のユーザによって携帯されているものとする。
【００３５】
また、各装置の接続形態については、以下に示す通りに設定されている。すなわち、後述する電源装置６０は、３本の電源線（図示省略）を有する第１ケーブル３を介して商用電源と接続され、３本の電源線（図示省略）を有する第２ケーブル４を後述する開閉機４０を介して接続され、且つ、２本の電源線（図示省略）を有する第３ケーブル５を介してシャッター側制御装置８０と接続されている。また、シャッター側制御装置８０は、２本の信号線（図示省略）及び２本の電源線（図示省略）を有する第４ケーブル６を介して後述する開閉機４０と接続されていると共に、２本の信号線（図示省略）及び２本の電源線（図示省略）を有する第５ケーブル７を介して中継装置９０と接続されている。また、中央制御装置１００は、少なくとも１本以上の信号線（図示省略）を有する第６ケーブル８を介して中継装置９０と接続されており、少なくとも１本以上の信号線（図示省略）を有する第７ケーブル９を介して端末装置１１０と接続されており（すなわち、外部ネットワーク１３０を介さずに接続されており）、及び、外部ネットワーク１３０を介して携帯端末１２０と接続されている。ここで、「外部ネットワーク１３０」とは、管理システム７０の外部からシャッター側制御装置８０にアクセスできるネットワークを意味し、例えば、インターネット回線、電話回線等を含む概念である。このような接続により、シャッター側制御装置８０と、開閉機４０又は中継装置９０との相互間で通信及び電力供給を行うことができると共に、中央制御装置１００と、中継装置９０、端末装置１１０、又は携帯端末１２０との相互間で通信を行うことができる。また、第５ケーブル７、第６ケーブル８、及び第７ケーブル９の各々に含まれる信号線の具体的な構成については任意であるが、実施の形態では、ホームエネルギーマネジメントシステム（ＨＥＭＳ）の通信規格（例えば、ＥＣＨＯＮＥＴ  Ｌｉｔｅ（登録商標）規格等）に準拠した信号線を用いて構成することにより、シャッター側制御装置８０が中央制御装置１００から中継装置９０を介して受信された後述する第１制御信号又は後述する第２制御信号に基づいて制御を行うことが可能となる。
【００３６】
（構成−シャッター）
シャッター１は、枠体１０、シャッター収納部２０、シャッターカーテン３０、開閉機４０、位置検知部５０、異常検知部５１、電源装置６０、及び巻取り軸（図示省略）を備えて構成されている。このシャッター１は、上述のように窓シャッターであって、図１に示すように、建物の躯体（図示省略）に形成された開口部２には開閉式の窓（図示省略）が設けられており、この窓よりも建物の屋外側にシャッターカーテン３０が設けられている。このため、シャッターカーテン３０は、開口部２を、当該開口部２の開口面内ではなく当該開口部２の開口面よりも建物の屋外側において開閉することになるが、このような開閉であっても、開口部２を介した人や物の出入りを制限するための開閉を行う点において同様であるため、「開口部２を開閉する」ものとして説明する。なお、この窓は、例えば公知の開閉式の窓（一例としてサッシ窓等）を採用することができるので、その詳細な説明は省略する。
【００３７】
（構成−シャッター−枠体）
枠体１０は、建物の躯体に形成された開口部２に設けられるものである。この枠体１０は、複数の枠材を相互に組み合わせることによって構成されており、具体的には、図１に示すように、複数の枠材は、左縦枠１１、右縦枠１２、及び下枠１３から構成されている。そして、これら左縦枠１１、右縦枠１２、及び下枠１３は、それぞれ開口部２の周縁における建物の躯体の外面に公知の方法で直接的に固定されている。
【００３８】
また、左縦枠１１と右縦枠１２の各々には、ガイドレール（図示省略）が設けられている。ガイドレールは、シャッターカーテン３０を開口部２の開閉方向（実施の形態においては、上下方向）に沿って移動するように案内するものである。このガイドレールは、横断面形状が略コ字状となるように形成された長尺体であり、左縦枠１１又は右縦枠１２の前面（実施の形態においては、建物の躯体の外面）において、当該ガイドレールの長手方向が左縦枠１１と右縦枠１２の長手方向に略沿う方向で配置され、左縦枠１１又は右縦枠１２に対して固定具等によって固定されている。
【００３９】
（構成−シャッター−シャッター収納部）
シャッター収納部２０は、シャッター１の各部を収納するための中空状体であり、開口部２の上端近傍位置に取り付けられている。このシャッター収納部２０の内部には、開閉機４０、位置検知部５０、異常検知部５１、電源装置６０、及び巻取り軸が収納されている。また、この巻取り軸にてシャッターカーテン３０が巻装されている状態では、シャッターカーテン３０も、シャッター収納部２０の内部に収納される。また、このシャッター収納部２０の具体的な構成については任意であるが、例えば、折り曲げ成形された複数のスチール製の板状体を、ビスや取付ネジ等の取付具によって相互に接続して形成している。
【００４０】
（構成−シャッター−シャッターカーテン）
シャッターカーテン３０は、巻取り軸によって巻上げ又は巻出しされることで、全開状態、全閉状態、あるいは非全開閉状態（半開状態）とする遮蔽手段である。このシャッターカーテン３０の左右方向の両端部の各々は、ガイドレールのコ字状の開放端部を介してガイドレールの内部に挿入されており、上下方向においてはガイドレールの内部をスライド移動可能であり、かつ、前後方向においてはガイドレールの外部に脱落しないように規制されている。また、シャッターカーテン３０の上端部には、連結スラット（図示省略）が接続されている。連結スラットは、シャッターカーテン３０を後述する巻取り軸の巻取りシャフト（図示省略）に連結するためのものであり、シャッターカーテン３０の上端部の左右方向全長にわたって形成されている。また、図１に示すように、シャッターカーテン３０の下端部には、座板３１が接続されている。座板３１は、全閉状態において建物の床面と近接し、又は接触するように配置されたものであり、シャッターカーテン３０の下端部の左右方向全長にわたって形成されている。
【００４１】
また、このシャッターカーテン３０の構成については任意であるが、実施の形態では、スクリーン式のシャッターカーテン３０を用いて構成されており、具体的には、図１に示すように、複数のスラット３２と、各スラット３２の上下の両端部には設けられた嵌合部（図示省略）とを備えている。この嵌合部は、複数のスラット３２を相互に嵌合接続するために各スラット３２の上下の両端部に設けられたもので、これら両端部を屈曲させることによって形成されている。
【００４２】
（構成−シャッター−開閉機）
開閉機４０は、巻取り軸を回転駆動することによって電動でシャッターカーテン３０を昇降させる昇降手段であり、後述するシャッター側制御装置８０の操作部８１、端末装置１１０、又は携帯端末１２０を介して操作される。
【００４３】
（構成−シャッター−位置検知部）
位置検知部５０は、シャッターカーテン３０が所定位置に到達したか否かを検知するための位置検知手段であり、開閉機４０の近傍位置に設置されている。また、この位置検知部５０は、上限リミットスイッチ及び下限リミットスイッチを備えて構成されている（いずれも図示省略）。上限リミットスイッチは、シャッターカーテン３０が所定の上限位置に到達したことを検知する上限位置検知手段であり、下限リミットスイッチは、シャッターカーテン３０が所定の下限位置に到達したことを検知する下限位置検知手段である。
【００４４】
（構成−シャッター−異常検知部）
異常検知部５１は、シャッターカーテン３０に関する異常を検知する異常検知手段であり、開閉機４０の近傍に設置されている。ここで、「異常」とは、シャッターカーテン３０の動作及びそれに関連する装置の動作が正常でないことを意味し、例えば、シャッターカーテン３０の下端部と建物の床面との間に障害物が存在すること、開閉機４０のモータに関するサーマル異常が生じたこと、シャッターカーテン３０の使用頻度が過大であること等を含む概念である。また、この異常検知部５１は、公知の異常検知装置（一例として、過負荷検知センサ、熱検知センサ、使用頻度検知センサ等）を用いて構成されている。ここで、異常検知部５１が過負荷検知センサである場合の検知動作については、例えば、シャッターカーテン３０の下降中にシャッターカーテン３０の下端部が障害物と接触したか否かに基づいて異常を検知する。また、異常検知部５１が熱検知センサである場合の検知動作については、例えば、開閉機４０のモータの熱が閾値以上であるか否かに基づいて異常を検知する。また、異常検知部５１が使用頻度検知センサである場合の検知動作については、例えば、シャッターカーテン３０の昇降頻度が閾値以上であるか否かに基づいて異常を検知する。
【００４５】
（構成−シャッター−電源装置）
電源装置６０は、商用電源（図示省略）から供給された電力を開閉機４０、並びに、シャッター側制御装置８０、及び中継装置９０に供給するための電力供給手段である。この電源装置６０は、商用電源から第１ケーブル３を介して供給された電力を第２ケーブル４を介して開閉機４０に供給する。また、この電源装置６０は、商用電源から第１ケーブル３を介して供給された供給された電力を所定の電圧に変圧し、当該変圧した電力を第３ケーブル５を介してシャッター側制御装置８０に供給すると共に、シャッター側制御装置８０及び第５ケーブル７を介して中継装置９０に供給する。
【００４６】
（構成−シャッター−巻取り軸）
巻取り軸は、シャッターカーテン３０を巻上げ又は巻出すための回動軸である。この巻取り軸は、例えば公知の巻取り軸等を用いて構成されており、左右方向に沿って設けられ、シャッター収納部２０に対して固定具等を介して回動可能に接続されている。また、この巻取り軸には、シャッターカーテン３０の上端に連結された連結スラット（図示省略）が接続されており、この巻取り軸を回転させることで、連結スラットを介してシャッターカーテン３０を巻上げ又は巻出すことができる。
【００４７】
（構成−シャッター側制御装置）
シャッター側制御装置８０は、シャッターカーテン３０の状態を制御するための装置であり、図２に示すように、操作部８１、通信部８２、出力部８３、電源部８４、制御部８５、及びデータ記録部８６を備えている。
【００４８】
（構成−シャッター側制御装置−操作部）
操作部８１は、シャッター側制御装置８０に対する操作入力を受け付ける第１操作端末である。この操作部８１は、例えば有線式の操作スイッチや無線式のリモコン装置（一例として、赤外線方式のリモコン）等を用いて構成されており、外部ネットワーク１３０を介さずに制御部８５と直接的に通信可能に接続されている。また、図２に示すように、この操作部８１は、開放ボタン８１ａ、閉鎖ボタン８１ｂ、及び停止ボタン８１ｃを備えている。このうち、開放ボタン８１ａは、開閉機４０に対してシャッターカーテン３０の開放（上昇、巻上げ）を指示するボタンである。閉鎖ボタン８１ｂは、開閉機４０に対してシャッターカーテン３０の閉鎖（下降、巻出し）を指示するボタンである。停止ボタン８１ｃは、シャッターカーテン３０の昇降の停止を指示するボタンである。なお、これら開放ボタン８１ａ、閉鎖ボタン８１ｂ、又は停止ボタン８１ｃの操作入力が受け付けられると、上記受け付けられたボタンに対応する状態情報を含む後述する第１操作信号が操作部８１から制御部８５に送信される。ここで、「状態情報」とは、操作部８１、端末装置１１０、又は携帯端末１２０のユーザが操作指示によって制御したいシャッターカーテン３０の状態を示す情報である。また、「上記受け付けられたボタンに対応する状態情報」とは、実施の形態では、開放ボタン８１ａに対応する状態情報＝「全開状態」、閉鎖ボタン８１ｂに対応する状態情報＝「全閉状態」、停止ボタン８１ｃに対応する状態情報＝「非全開閉状態」が該当する。すなわち、実施の形態では、第１操作信号に対応する後述の第１制御によって制御されるシャッターカーテン３０の状態の種類である第１の状態種類は、全開状態、全閉状態、及び非全開閉状態を含む。
【００４９】
（構成−シャッター側制御装置−通信部）
通信部８２は、後述する第１制御信号又は後述する第２制御信号（後述する第２操作信号）を中継装置９０を介して中央制御装置１００から受信する通信手段であり、例えばＨＥＭＳの通信規格に準拠した通信を行うことが可能な公知の通信手段を用いて構成されている。
【００５０】
（構成−シャッター側制御装置−出力部）
出力部８３は、シャッターカーテン３０の状態を制御する旨を示す情報（以下、「報知情報」と称する）を出力する出力手段であり、例えば、報知情報を音声出力するスピーカ等の公知の音声出力手段等を用いて構成されている。この出力部８３により出力される音声の具体的な態様は任意であり、必要に応じて生成された合成音声や、予め録音された音声を出力することができる。
【００５１】
（構成−シャッター側制御装置−電源部）
電源部８４は、電源装置６０から供給された電力又は当該電源部８４に蓄電された電力を、シャッター側制御装置８０の各部に供給する電力供給手段である。
【００５２】
（構成−シャッター側制御装置−制御部）
制御部８５は、シャッター側制御装置８０の各部を制御する制御手段である。この制御部８５は、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）及びプログラムや各種のデータを格納するためのＲＡＭの如き内部メモリを備えて構成されるコンピュータである（なお、中央制御装置１００の制御部１０３、端末装置１１０の制御部１１５、携帯端末１２０の制御部１２６の構成についても同様とする）。なお、上述した「通信部８２」及び「制御部８５」は、特許請求の範囲の「通信手段」に対応する。
【００５３】
また、この制御部８５は、機能概念的に、状態制御部８５ａを備えている。状態制御部８５ａは、後述する第１制御と、後述する第２制御とがそれぞれ異なるように、シャッターカーテン３０の制御を行う状態制御手段である。また、この制御部８５によって実行される処理の詳細については後述する。
【００５４】
（構成−シャッター側制御装置−データ記録部）
データ記録部８６は、シャッター側制御装置８０の動作に必要なプログラム及び各種のデータを記憶する記憶手段であり、書き換え可能な記録媒体を用いて構成され、例えばフラッシュメモリ等の不揮発性記録媒体を用いることができる（なお、中央制御装置１００のデータ記録部１０４、端末装置１１０のデータ記録部１１６、及び携帯端末１２０のデータ記録部１２７の構成についても同様とする）。
【００５５】
（構成−中継装置）
中継装置９０は、シャッター側制御装置８０と中央制御装置１００との相互間の通信を中継するための装置であり、例えばＨＥＭＳの通信規格に対応した公知のアダプタ等を用いて構成されている。
【００５６】
（構成−中央制御装置）
中央制御装置１００は、管理システム７０を管理するための装置である。この中央制御装置１００は、例えばＨＥＭＳの通信規格に対応した公知の管理装置等を用いて構成されており、図３に示すように、通信部１０１、電源部１０２、制御部１０３、及びデータ記録部１０４を備えている。
【００５７】
（構成−中央制御装置−通信部）
通信部１０１は、シャッター側制御装置８０、端末装置１１０、携帯端末１２０との間で通信するための通信手段であり、例えばＨＥＭＳの通信規格に準拠した通信及び外部ネットワーク１３０の通信規格（一例として、インターネット回線の通信規格等）に準拠した通信を行うことが可能な公知の通信手段を用いて構成されている。
【００５８】
（構成−中央制御装置−電源部）
電源部１０２は、商用電源（図示省略）から供給された電力又は当該電源部１０２に蓄電された電力を、中央制御装置１００の各部に供給する電力供給手段である。
【００５９】
（構成−中央制御装置−制御部）
制御部１０３は、中央制御装置１００の各部を制御する制御手段である。なお、この制御部１０３によって実行される処理の詳細については後述する。
【００６０】
（構成−中央制御装置−データ記録部）
データ記録部１０４は、中央制御装置１００の動作に必要なプログラム及び各種のデータを記憶する記憶手段であり、図３に示すように、状態テーブル１０４ａを備えている。状態テーブル１０４ａは、状態情報を格納する状態情報格納手段であり、図４に示すように、項目「操作端末種類情報」、項目「操作識別情報」、及び項目「状態情報」と、各項目に対応する情報とを、相互に関連付けて構成されている。ここで、項目「操作端末種類情報」に対応する情報は、操作端末の種類を特定する操作端末種類情報であり、例えば、図４に示す操作端末の種類である「端末装置」、「携帯端末」等が該当する。項目「操作識別情報」に対応する情報は、操作端末に対する操作を一意に識別するための操作識別情報であり、例えば、図４に示す操作識別情報である「１００１」等が該当する。項目「状態情報」に対応する情報は、状態情報であり、例えば、図４に示すように、操作端末種類情報＝端末装置に対応する状態情報として、シャッターカーテン３０の状態である「全閉状態」、「全開状態」、「非全開閉状態」等が該当する。すなわち、実施の形態では、第１制御信号に対応する後述の第１制御によって制御されるシャッターカーテン３０の状態の種類である第１の状態種類は、少なくとも全開状態、全閉状態、及び非全開閉状態を含む。また、図４に示すように、操作端末種類情報＝携帯端末に対応する状態情報として、シャッターカーテン３０の状態である「全閉状態」が該当する。すなわち、実施の形態では、第１の状態種類と第２の状態種類とを異ならせるために、第２制御信号に対応する後述の第２制御によって制御されるシャッターカーテン３０の状態の種類である第２の状態種類は、全開状態のみを含む。
【００６１】
（構成−端末装置）
端末装置１１０は、シャッター側制御装置８０を遠隔操作するための第１操作端末である。この端末装置１１０は、例えばＨＥＭＳの通信規格に対応した公知のモニター装置等を用いて構成されており、図５に示すように、操作部１１１、通信部１１２、出力部１１３、電源部１１４、制御部１１５、及びデータ記録部１１６を備えている。
【００６２】
（構成−端末装置−操作部）
操作部１１１は、シャッター側制御装置８０に対する操作入力を受け付ける操作手段であり、例えば、タッチパネルやハードスイッチ等の公知の操作手段を用いて構成されている。
【００６３】
（構成−端末装置−通信部）
通信部１１２は、中央制御装置１００との間で通信するための通信手段であり、例えば、ＨＥＭＳの通信規格に準拠した通信を行うことが可能な公知の通信手段を用いて構成されている。
【００６４】
（構成−端末装置−出力部）
出力部１１３は、制御部１１５の制御に基づいて各種の情報を出力する出力手段であり、例えば液晶ディスプレイや有機ＥＬディスプレイの如きフラットパネルディスプレイ等の公知の表示手段やスピーカ等の公知の音声出力手段等を用いて構成されている。
【００６５】
（構成−端末装置−電源部）
電源部１１４は、商用電源（図示省略）から供給された電力又は当該電源部１１４に蓄電された電力を、端末装置１１０の各部に供給する電力供給手段である。
【００６６】
（構成−端末装置−制御部）
制御部１１５は、端末装置１１０の各部を制御する制御手段である。なお、この制御部１１５によって実行される処理の詳細については後述する。
【００６７】
（構成−端末装置−データ記録部）
データ記録部１１６は、端末装置１１０の動作に必要なプログラム及び各種のデータを記憶する記憶手段であり、図５に示すように、第１操作テーブル１１６ａを備えている。第１操作テーブル１１６ａは、第１操作端末によるシャッター１に関する操作を示す情報（以下、「第１操作情報」と称する）を格納する第１操作情報格納手段であり、図６に示すように、項目「第１操作情報」及び項目「操作識別情報」と、各項目に対応する情報とを、相互に関連付けて構成されている。ここで、項目「第１操作情報」に対応する情報は、第１操作情報であり、例えば、図６に示すシャッター１に関する操作である「閉鎖」、「開放」、「停止」等が該当する。項目「操作識別情報」に対応する情報は、操作識別情報である。
【００６８】
（構成−携帯端末）
携帯端末１２０は、シャッター側制御装置８０を遠隔操作するための第２操作端末である。この携帯端末１２０は、例えば公知の携帯端末（一例として、スマートフォンやタブレット端末）を用いて構成されており、図７に示すように、通信部１２１、タッチパッド１２２、ディスプレイ１２３、電源部１２５、制御部１２６、及びデータ記録部１２７を備えている。
【００６９】
（構成−携帯端末−通信部）
通信部１２１は、中央制御装置１００との間で通信するための通信手段であり、例えば、外部ネットワーク１３０の通信規格に準拠した通信を行うことが可能な公知の通信手段を用いて構成されている。
【００７０】
（構成−携帯端末−タッチパッド）
タッチパッド１２２は、ユーザの指等で押圧されることにより、当該ユーザから各種操作入力を受け付ける操作手段である。このタッチパッド１２２の具体的な構成は任意であるが、例えば、抵抗膜方式や静電容量方式等による操作位置検出手段を備えた公知のものを用いることができる。
【００７１】
（構成−携帯端末−ディスプレイ）
ディスプレイ１２３は、制御部１２６の制御に基づいて各種の情報を表示する表示手段である。このディスプレイ１２３の具体的な構成は任意であるが、例えば、公知の液晶ディスプレイや有機ＥＬディスプレイの如きフラットパネルディスプレイ等を用いることができる。なお、上記のタッチパッド１２２とディスプレイ１２３をタッチパッド１２２として一体形成しても構わない。
【００７２】
（構成−携帯端末−電源部）
電源部１２５は、携帯端末１２０の各部に電力を供給する電力供給手段であり、例えば公知の乾電池や充電池を用いて構成されている。
【００７３】
（構成−携帯端末−制御部）
制御部１２６は、携帯端末１２０の各部を制御する制御手段である。なお、この制御部１２６によって実行される処理の詳細については後述する。
【００７４】
（構成−携帯端末−データ記録部）
データ記録部１２７は、携帯端末１２０の動作に必要なプログラム及び各種のデータを記憶する記憶手段であり、図７に示すように、第２操作テーブル１２７ａを備えている。第２操作テーブル１２７ａは、第２操作端末によるシャッター１に関する操作を示す情報（以下、「第２操作情報」と称する）を格納する第２操作情報格納手段であり、図８に示すように、項目「第２操作情報」及び項目「操作識別情報」と、各項目に対応する情報とを、相互に関連付けて構成されている。ここで、項目「第２操作情報」に対応する情報は、第２操作情報であり、例えば、図８に示すシャッター１に関する操作である「閉鎖」等が該当する。項目「操作識別情報」に対応する情報は、操作識別情報である。なお、実施の形態では、図８に示すように、第２操作テーブル１２７ａには、第２操作情報＝「閉鎖」、及び当該操作情報と対応する操作識別情報＝「２００１」のみが格納されている。その理由は、例えば、第２操作情報＝「開放」、及び当該操作情報と対応する操作識別情報も格納されていると、建物から離れた場所にいる携帯端末１２０のユーザの操作によって当該第２操作情報に対応する後述する第２制御が行われた場合に、開口部２を不用意に開放することにより、建物のセキュリティを確保できないおそれがあるので、これを回避するためである。よって、後述する第２操作信号の送信方法においては、後述する第２指定領域に第２操作情報＝「閉鎖」のみを表示することで、当該第２操作情報のみを携帯端末１２０のタッチパッド１２２を介して指定可能としている。
【００７５】
（処理）
次に、このように構成された管理システム７０によって実行される処理について説明する。この管理システム７０によって実行される処理は、状態制御処理と、異常処理とに大別される。以下、状態制御処理と、異常処理とのそれぞれについて説明する。
【００７６】
（処理−状態制御処理）
まず、状態制御処理について説明する。状態制御処理は、シャッターカーテン３０の状態を制御するための処理である。この状態制御処理を実行するタイミングは任意であるが、実施の形態においては、開閉機４０、位置検知部５０、異常検知部５１、電源装置６０、シャッター側制御装置８０、中継装置９０、中央制御装置１００、端末装置１１０、及び携帯端末１２０に電源が投入された後に起動されるものとして説明する。また、この状態制御処理の前提としては、シャッターカーテン３０の状態が全開状態であるとして説明する。
【００７７】
状態制御処理が起動されると、図９に示すように、まず、ＳＡ１において中央制御装置１００の制御部１０３は、端末装置１１０から送信された第１操作信号又は携帯端末１２０から送信された第２操作信号を受信したか否かを判定する。ここで、「操作信号」とは、シャッターカーテン３０の状態を所定の状態に制御するための信号を意味し、実施の形態では、「第１操作信号」と「第２操作信号」とを含む概念である。このうち、「第１操作信号」とは、実施の形態では、シャッター側制御装置８０の制御部８５が操作部８１から外部ネットワーク１３０を介さずに直接的に受信可能な第１操作信号や、シャッター側制御装置８０の通信部８２が端末装置１１０から外部ネットワーク１３０を介さずに受信可能な第１操作信号（後述する第１制御信号）等が該当する。また、「第２操作信号」とは、実施の形態では、シャッター側制御装置８０の通信部８２が携帯端末１２０から外部ネットワーク１３０を介して受信可能な第２操作信号（後述する第２制御信号）が該当する。
【００７８】
また、第１操作信号又は第２操作信号の送信方法については任意であるが、例えば、以下の通りに送信する。すなわち、第１操作信号の送信方法については、端末装置１１０の出力部１１３（表示手段）の画面上の領域のうち第１操作情報を指定する領域（以下、「第１指定領域」と称する）に、端末装置１１０の第１操作テーブル１１６ａに格納された第１操作情報を複数表示し、当該表示した複数の第１操作情報の中から１つの第１操作情報が端末装置１１０の操作部１１１を介して指定されると、当該指定された第１操作情報に対応する操作識別情報を含む第１操作信号を送信する。また、第２操作信号の送信方法については、携帯端末１２０のディスプレイ１２３の画面上の領域のうち第２操作情報を指定する領域（以下、「第２指定領域」と称する）に、携帯端末１２０の第２操作テーブル１２７ａに格納された第２操作情報（すなわち、第２操作情報＝「閉鎖」）を表示し、当該表示した第２操作情報が携帯端末１２０のタッチパッド１２２を介して指定されると（例えば、指定する操作が１回（又は２回）行われると）、当該指定された第２操作情報に対応する操作識別情報を含む第２操作信号を送信する。そして、中央制御装置１００の制御部１０３は、第１操作信号又は第２操作信号を受信するまで待機し（ＳＡ１、Ｎｏ）、第１操作信号又は第２操作信号を受信した場合（ＳＡ１、Ｙｅｓ）にＳＡ２へ移行する。
【００７９】
ＳＡ２において中央制御装置１００の制御部１０３は、ＳＡ１にて受信した第１操作信号又は第２操作信号に含まれる操作識別情報に基づいて、制御対象候補となる状態情報を特定する。具体的には、中央制御装置１００の制御部１０３は、状態テーブル１０４ａに格納された状態情報の中から、上記受信した第１操作信号又は第２操作信号に含まれる操作識別情報に対応する状態情報を抽出し、当該抽出した状態情報を制御対象候補となる状態情報として特定する。
【００８０】
ＳＡ３において中央制御装置１００の制御部１０３は、ＳＡ２にて特定した状態情報を含む制御信号を中継装置９０を介してシャッター側制御装置８０に送信する。具体的には、中央制御装置１００の制御部１０３は、ＳＡ１にて第１操作信号が受信された場合には上記状態情報を含む制御信号（以下、「第１制御信号」と称する）を送信し、ＳＡ１にて第２操作信号が受信された場合には上記状態情報を含む制御信号（以下、「第２制御信号」と称する）を送信する。その後、中央制御装置１００の制御部１０３は、ＳＡ１に移行し、以降同様に、ＳＡ１からＳＡ３の処理を行う。
【００８１】
次に、図１０に示すように、ＳＢ１においてシャッター側制御装置８０の制御部８５は、ＳＡ３にて送信された第１制御信号又は操作部８１から送信された第１操作信号を受信したか否かを判定する。そして、シャッター側制御装置８０の制御部８５は、第１制御信号又は第１操作信号を受信した場合（ＳＢ１、Ｙｅｓ）にはＳＢ２へ移行し、第１制御信号又は第１操作信号を受信していない場合（ＳＢ１、Ｎｏ）にはＳＢ３へ移行する。
【００８２】
ＳＢ２においてシャッター側制御装置８０の状態制御部８５ａは、出力部８３によって報知情報を出力させることなく、ＳＢ１にて受信した第１制御信号又は第１操作信号に含まれる状態情報に基づいて、シャッターカーテン３０の状態を所定の状態に制御する制御（以下、「第１制御」と称する）を実行する。その後、シャッター側制御装置８０の制御部８５は、ＳＢ１に移行する。
【００８３】
ここで、第１制御の具体的な制御内容については任意であるが、実施の形態では、以下の通りに制御する。すなわち、まず、ＳＢ１にて状態情報＝「全閉状態」を含む第１制御信号又は第１操作信号を受信した場合に、位置検知部５０（下限リミットスイッチ）にてシャッターカーテン３０の下端部の位置が下限位置に達したと検知されるまで、開閉機４０によってシャッターカーテン３０を電動で下降させ、位置検知部５０にて下限位置に達したと検知されると、シャッターカーテン３０の下降を停止させる。ただし、シャッターカーテン３０の下端部の位置が既に下限位置に達している場合には、シャッターカーテン３０を下降させない（なお、後述するＳＣ７の処理についても同様とする）。また、第１制御信号を受信した場合に後述する異常状態である場合にも、シャッターカーテン３０を下降させない。なお、第１制御信号の状態情報に基づいてシャッターカーテン３０の状態が全閉状態に制御された場合には、例えば、その旨を示す情報を端末装置１１０に送信させて、端末装置１１０の出力部１１３に当該情報を出力させてもよい。また、ＳＢ１にて状態情報＝「全開状態」を含む第１操作信号を受信した場合には、位置検知部５０（上限リミットスイッチ）にてシャッターカーテン３０の下端部の位置が上限位置に達したと検知されるまで、開閉機４０によってシャッターカーテン３０を電動で上昇させ、位置検知部５０にて上限位置に達したと検知されると、シャッターカーテン３０の上昇を停止させる。ただし、シャッターカーテン３０の下端部の位置が既に上限位置に達している場合には、シャッターカーテン３０を上昇させない。また、シャッターカーテン３０の昇降中において、ＳＢ１にて状態情報＝「非全開閉状態」を含む第１操作信号を受信した場合には、開閉機４０によってシャッターカーテン３０の昇降を停止させる。
【００８４】
また、実施の形態においては、第１操作信号に対応する第１制御と、第１制御信号に対応する第１制御とを優劣をつけずに行う。例えば、第１操作信号に対応する第１制御が行われているときにＳＢ１にて第１制御信号が受信された場合には、第１操作信号に対応する第１制御に代えて第１制御信号に対応する第１制御を行う。また、第１制御信号に対応する第１制御が行われているときにＳＢ１にて第１操作信号が受信された場合には、第１制御信号に対応する第１制御に代えて第１操作信号に対応する第１制御を行う。ただし、これに限られず、例えば、第１操作信号に対応する第１制御が行われているときにＳＢ１にて第１制御信号が受信された場合、又は第１制御信号に対応する第１制御が行われているときにＳＢ１にて第１操作信号が受信された場合には、第１操作信号に対応する第１制御を第１制御信号に対応する第１制御よりも優先させてもよい。ここで、「優先」とは、複数の制御がある場合には、特定の制御のみを実行して、その他の制御を実行しないことを意味し、例えば、上述したように、第１操作信号に対応する第１制御が行われているときにＳＢ１にて第１制御信号が受信された場合には、第１操作信号に対応する第１制御のみを実行し、第１制御信号に対応する第１制御を行わないこと等が該当する。
【００８５】
ＳＢ３においてシャッター側制御装置８０の制御部８５は、ＳＡ３にて送信された第２制御信号を受信したか否かを判定する。そして、シャッター側制御装置８０の制御部８５は、第２制御信号を受信した場合（ＳＢ３、Ｙｅｓ）にはＳＢ４へ移行し、第２制御信号を受信していない場合（ＳＢ３、Ｎｏ）にはＳＢ１へ移行する。
【００８６】
ＳＢ４においてシャッター側制御装置８０の制御部８５は、シャッターカーテン３０に異常が生じている状態（以下、「異常状態」と称する）であるか、シャッターカーテン３０の状態が全閉状態であるか、又はシャッターカーテン３０が昇降中であるかを判定する。この判定方法については任意であるが、例えば、以下の通りに判定する。すなわち、まず、上記異常状態の判定方法については、異常検知部５１にて異常が検知されたか否かに基づいて判定し、異常が検知された場合には上記異常状態であると判定し、異常が検知されていない場合には上記異常状態でないと判定する。また、上記全閉状態の判定方法については、位置検知部５０にて下限位置に達したと検知されたか否かに基づいて判定し、下限位置に達したと検知された場合には上記全閉状態であると判定し、下限位置に達したと検知されていない場合には上記全閉状態でないと判定する。また、シャッターカーテン３０の昇降中の判定方法については、開閉機４０が駆動しているか否かに基づいて判定し、開閉機４０が駆動している場合にはシャッターカーテン３０が昇降中であると判定し、開閉機４０が駆動していない場合にはシャッターカーテン３０が昇降中でないと判定する。そして、シャッター側制御装置８０の制御部８５は、上記異常状態でない、上記全閉状態でない、及びシャッターカーテン３０が昇降中でないと判定された場合（ＳＢ４、Ｎｏ）には第２制御処理（ＳＢ５）を起動し、上記異常状態である、上記全閉状態である、又はシャッターカーテン３０が昇降中であると判定された場合（すなわち、ＳＢ２の第１制御（又はＳＢ５の第２制御処理）を開始してから完了するまでにＳＢ４に移行した場合）（ＳＢ４、Ｙｅｓ）にはＳＢ１へ移行する。つまり、第１制御が行われているときに第２制御信号（第２操作信号）が受信された場合には、第１制御を後述する第２制御よりも優先させるので、建物にいる人の状況に応じたシャッターカーテン３０の状態の制御を行うことができ、上記人の安全性、シャッター１の使用性、又は建物のセキュリティを考慮したシャッターカーテン３０の制御を効果的に行うことが可能となる。なお、上記異常状態である、上記全閉状態である、又はシャッターカーテン３０が昇降中であると判定された場合には、その旨を示す情報を携帯端末１２０に送信させて、携帯端末１２０のディスプレイ１２３に当該情報を出力させてもよい（なお、後述する第２制御処理のＳＣ２、ＳＣ９についても同様とする）。
【００８７】
（処理−状態制御処理−第２制御処理）
次に、図１０のＳＢ５の第２制御処理について説明する。第２制御処理は、ＳＢ３にて受信した第２制御信号に含まれる状態情報に基づいて、シャッターカーテン３０の状態を所定の状態に制御する制御（以下、「第２制御」と称する）を行う処理である。
【００８８】
第２制御処理が起動されると、図１１に示すように、シャッターカーテン３０の状態を制御する前に報知情報（以下、「第１報知情報」と称する）を出力するために、シャッター側制御装置８０の制御部８５は、ＳＣ１からＳＣ５の処理を行う。
【００８９】
図１１に示すように、まず、ＳＣ１においてシャッター側制御装置８０の状態制御部８５ａは、出力部８３（音声出力手段）によって第１報知情報を出力させる。この第１報知情報の出力方法については任意であるが、実施の形態では、第１報知情報の出力を、第１の出力態様で後述するＳＣ５の所定時間の一部の間行った後に、第１の出力態様とは異なる第２の出力態様で当該所定時間の他の一部の間行う。一例として、ＳＣ５の所定時間が２０秒である場合に、０秒から１９秒までの間「ピッ」というブザー音を間欠的に出力し、１９秒から２０秒までの間当該ブザー音を連続的に出力する。このような出力により、建物にいる人が第１報知情報の出力態様に基づいてシャッターカーテン３０の状態の制御が開始されるタイミングが近づいているか否かを容易に把握することができ、上記人がシャッターカーテン３０に挟まれたり、建物の外に締め出されることを抑制できる。ただし、これに限られず、例えば、ＳＣ５の所定時間の間、第１報知情報の出力を同じ出力態様で行ってもよい（一例として、上記ブザー音を間欠的（又は連続的）に出力する。
【００９０】
ＳＣ２においてシャッター側制御装置８０の状態制御部８５ａは、上記異常状態であるか否かを判定する。そして、シャッター側制御装置８０の制御部８５は、上記異常状態でないと判定された場合（ＳＣ２、Ｎｏ）にはＳＣ３へ移行し、上記異常状態であると判定された場合（ＳＣ２、Ｙｅｓ）には後述するＳＣ１０へ移行する。
【００９１】
ＳＣ３においてシャッター側制御装置８０の状態制御部８５ａは、ＳＡ３にて送信された第１制御信号又は操作部８１から送信された第１操作信号を受信したか否かを判定する。そして、シャッター側制御装置８０の制御部８５は、第１制御信号又は第１操作信号を受信した場合（ＳＣ３、Ｙｅｓ）にはＳＣ４へ移行し、第１制御信号又は第１操作信号を受信していない場合（ＳＣ３、Ｎｏ）にはＳＣ５へ移行する。
【００９２】
ＳＣ４においてシャッター側制御装置８０の状態制御部８５ａは、ＳＣ１における第１報知情報（又は、後述するＳＣ６における第２報知情報）の出力を停止させる。この場合において、例えば、第１制御信号又は第１操作信号を受信したことで、シャッターカーテン３０の状態を所定の状態に制御することができなかった旨を示す情報を携帯端末１２０に送信させて、携帯端末１２０のディスプレイ１２３に当該情報を出力させてもよい。その後、シャッター側制御装置８０の制御部８５は、図１０のＳＢ２に移行する。
【００９３】
ＳＣ５においてシャッター側制御装置８０の状態制御部８５ａは、所定時間経過したか否かを判定する。そして、シャッター側制御装置８０の制御部８５は、所定時間経過していないと判定された場合（ＳＣ５、Ｎｏ）にはＳＣ１へ移行し、所定時間経過したと判定された場合（ＳＣ５、Ｙｅｓ）には、ＳＣ６へ移行する。
【００９４】
次に、図１１に示すように、シャッターカーテン３０の状態を所定の状態に制御するために、シャッター側制御装置８０の制御部８５は、ＳＣ６からＳＣ１０の処理を行う。特に、実施の形態では、ＳＢ３にて受信される第２制御信号に含まれる状態情報＝「全閉状態」だけであるので、シャッターカーテン３０の状態を全閉状態に制御する処理を行うものとする。
【００９５】
図１１に示すように、まず、ＳＣ６においてシャッター側制御装置８０の状態制御部８５ａは、ＳＣ１にて出力された第１報知情報に代えて、報知情報（以下、「第２報知情報」と称する）を出力させる。この第２報知情報の出力方法については任意であるが、実施の形態では、第２報知情報の出力（例えば、ブザー音の連続的な出力等）を、シャッターカーテン３０の状態の制御を開始してから終了するまでの間行う。このような出力により、シャッターカーテン３０の状態を制御している間において第２報知情報を建物にいる人に対して提示できるので、上記人がシャッターカーテン３０に挟まれたり、建物の外に締め出されることを一層抑制できる。
【００９６】
ＳＣ７においてシャッター側制御装置８０の状態制御部８５ａは、シャッターカーテン３０の状態が全閉状態になるように、シャッターカーテン３０を下降させる制御を行う。
【００９７】
ＳＣ８においてシャッター側制御装置８０の状態制御部８５ａは、ＳＡ３にて送信された第１制御信号又は操作部８１から送信された第１操作信号を受信したか否かを判定する。そして、シャッター側制御装置８０の制御部８５は、第１制御信号又は第１操作信号を受信した場合（ＳＣ８、Ｙｅｓ）にはシャッターカーテン３０の下降を停止させて、ＳＣ４へ移行し、第１制御信号又は第１操作信号を受信していない場合（ＳＣ８、Ｎｏ）にはＳＣ９へ移行する。
【００９８】
ＳＣ９においてシャッター側制御装置８０の状態制御部８５ａは、上記異常状態であるか、又はシャッターカーテン３０の状態が全閉状態であるかを判定する。そして、シャッター側制御装置８０の制御部８５は、上記異常状態でない、及び上記全閉状態でないと判定された場合（ＳＣ９、Ｎｏ）にはＳＣ７に移行し、上記異常状態である、又は上記全閉状態であると判定された場合（ＳＣ９、Ｙｅｓ）には、シャッターカーテン３０の下降を停止させて、ＳＣ１０へ移行する。
【００９９】
ＳＣ１０においてシャッター側制御装置８０の制御部８５は、ＳＣ６における第２報知情報（又は、ＳＣ１における第１報知情報）の出力を停止させる。その後、シャッター側制御装置８０の制御部８５は、第２制御処理を終了し、図１０の状態制御処理に戻る。
【０１００】
このような第２制御処理により、シャッターカーテン３０の状態の制御を行う際に、第１報知情報及び第２報知情報を建物にいる人に対して提示できるので、携帯端末１２０のユーザがシャッター１の周囲の状況を把握できなくても、上記人がシャッターカーテン３０に挟まれたり、上記人が建物の外に締め出されることを抑制でき、上記人の安全性やシャッター１の使用性を考慮したシャッターカーテン３０の制御を効果的に行うことができる。特に、第１報知情報の出力を所定時間行った後にシャッターカーテン３０の状態を制御するので、シャッターカーテン３０の状態の制御を行う前に建物にいる人に対して第１報知情報を提示できる。よって、例えば、シャッターカーテン３０の状態の制御を行う前に上記人がシャッターカーテン３０から離れることができるので、上記人がシャッターカーテン３０に挟まれたり、建物の外に締め出されることを一層抑制できる。また、ＳＣ２、ＳＣ９にて異常が検知された場合には、異常が解除されるまで、ＳＢ３にて第２制御信号を受信してもＳＢ４にて異常状態であると判定されることで、ＳＢ５の処理を実行できないので（つまり、ＳＣ７におけるシャッターカーテン３０の下降によって、シャッターカーテン３０の状態を制御しないので）、異常が検知された後に第２制御によってシャッターカーテン３０の状態を不用意に制御することを回避でき、例えばシャッターカーテン３０又は関連部品等が破損することを防止できる。
【０１０１】
図１０に戻り、その後、シャッター側制御装置８０の制御部８５は、ＳＢ１に移行し、以降同様に、ＳＢ１からＳＢ５の処理を繰り返す。
【０１０２】
このように状態制御処理においては、第１制御によってシャッターカーテン３０の状態を所定の状態に制御するための制御内容と、第２制御によってシャッターカーテン３０の状態を所定の状態に制御するための制御内容とをそれぞれ異ならせたので、建物にいる人の安全性の確保、シャッター１の使用性の確保、又は建物のセキュリティの確保を、第１制御を行う場合にはシャッター側制御装置８０又は端末装置１１０のユーザに委ねる一方で、第２制御を行う場合には自動的な制御により行うことができる。また、第１の状態種類と第２の状態種類とをそれぞれ異ならせたので、第１の状態種類と第２の状態種類とを同一とした場合に比べて、第２制御において、建物にいる人の安全性の確保、シャッター１の使用性の確保、又は建物のセキュリティの確保を考慮したシャッターカーテン３０の制御を行うことができる。特に、状態制御部８５ａが、通信部８２にて第１操作信号又は第１制御信号が受信された場合に、シャッターカーテン３０の状態を少なくとも全閉状態又は全開状態に制御する第１制御を行い、通信部８２にて第２制御信号が受信された場合に、シャッターカーテン３０の状態を全閉状態のみに制御する第２制御を行うので、第２の状態種類が全閉状態及びそれ以外の状態（例えば、全開状態又は非全開閉状態）を含む場合に比べて、第２制御において、不用意に全開状態又は非全開閉状態にすることを回避でき、建物のセキュリティの確保を考慮したシャッターカーテン３０の制御を効果的に行うことが可能となる。以上のことから、従来技術（第１操作端末及び第２操作端末の各々の操作でシャッターカーテン３０の状態を所定の状態に制御する制御内容を同一とし、及び制御可能なシャッターカーテン３０の状態の種類を同一とする技術）に比べて、シャッター１の遠隔操作におけるユーザの利便性を向上させることができる。
【０１０３】
（処理−状態制御処理−具体的な処理内容）
また、上記状態制御処理が実行される具体的な状況及びその場合の処理内容（特に、所定の状態（全閉状態）に制御する第１制御の処理内容、及び所定の状態（全閉状態）に制御する第２制御の処理内容）について、以下で説明する。
【０１０４】
まず、建物にいる人によってシャッター側制御装置８０の操作部８１の閉鎖ボタン８１ｂが操作されると、以下に示す状態制御処理が行われる。すなわち、図１０のＳＢ１にて閉鎖ボタン８１ｂに対応する状態情報（＝全閉状態）を含む第１操作信号が受信されると、図１０のＳＢ２において、出力部８３によって報知情報が出力されることなく、位置検知部５０にてシャッターカーテン３０の下端部の位置が下限位置に達したと検知されるまで、上記シャッターカーテン３０の下降が行われる。その後、位置検知部５０にて下限位置に達したと検知されると、シャッターカーテン３０の下降は停止される。なお、図１０のＳＢ２にてシャッターカーテン３０の下降が行われている場合において、図１０のＳＢ３にて第２制御信号が受信された場合には、シャッターカーテン３０の下降が継続して行われるものの、図１０のＳＢ１にて第１制御信号が受信された場合には、シャッターカーテン３０の下降が停止されて、当該第１制御信号に含まれる状態情報に応じたシャッターカーテン３０の状態の制御が行われる（ただし、第１制御信号に含まれる状態情報が第１操作信号に含まれる状態情報と同じである場合（すなわち、第１制御信号に含まれる状態情報＝「全閉状態」である場合）には、シャッターカーテン３０の下降を停止させることなく、当該下降を継続させる）。なお、図１０のＳＢ１にて閉鎖ボタン８１ｂ以外のボタン（例えば、開放ボタン８１ａ等）に対応する状態情報を含む第１操作信号が受信された場合についても、略同様に、シャッターカーテン３０の状態の制御が行われる。
【０１０５】
また、建物にいる人によって端末装置１１０の操作部１１１を介して第１操作情報＝「閉鎖」を指定する操作が行われると、以下に示す状態制御処理が行われる。すなわち、まず、図９のＳＡ１にて上記第１操作情報を含む第１操作信号が受信されると、図９のＳＡ２にて状態情報＝「全閉状態」が特定され、図９のＳＡ３にて当該特定された状態情報を含む第１制御信号が送信される。次いで、図１０のＳＢ１にて上記第１制御信号が受信されると、図１０のＳＢ２において、出力部８３によって報知情報が出力されることなく、位置検知部５０にてシャッターカーテン３０の下端部の位置が下限位置に達したと検知されるまで、シャッターカーテン３０の下降が行われる。その後、位置検知部５０にて下限位置に達したと検知されると、シャッターカーテン３０の下降は停止される。なお、図１０のＳＢ２にてシャッターカーテン３０の下降が行われている場合において、図１０のＳＢ３にて第２制御信号が受信された場合には、上記シャッターカーテン３０の下降は継続して行われるものの、図１０のＳＢ１にて第１操作信号が受信された場合には、上記シャッターカーテン３０の下降が停止されて、当該第１操作信号に含まれる状態情報に応じたシャッターカーテン３０の状態の制御が行われる（ただし、第１操作信号に含まれる状態情報が第１制御信号に含まれる状態情報と同じである場合（すなわち、第１操作信号に含まれる状態情報＝「全閉状態」である場合）には、シャッターカーテン３０の下降を停止させることなく、当該下降を継続させる）。なお、図１０のＳＢ１にて状態情報（＝「全閉状態」以外の状態（例えば、全開状態等））を含む第１制御信号が受信された場合についても、略同様に、シャッターカーテン３０の状態の制御が行われる。
【０１０６】
また、建物から離れた場所にいる携帯端末１２０のユーザによってタッチパッド１２２を介して第２操作情報＝「閉鎖」を指定する操作が行われると、以下に示す状態制御処理が行われる。すなわち、まず、図９のＳＡ１にて上記第２操作情報を含む第２操作信号が受信されると、図９のＳＡ２にて状態情報＝「全閉状態」が特定され、図９のＳＡ３にて当該特定された状態情報を含む第２制御信号が送信される。次に、図１０のＳＢ３にて上記第２制御信号が受信されて、図１０のＳＢ５の第２制御処理が起動されると、図１１のＳＣ５にて所定時間が経過したと判定されるまで、図１１のＳＣ１による第１報知情報の出力が継続して行われる。次いで、図１１のＳＣ５にて所定時間が経過したと判定されると、図１１のＳＣ９にてシャッターカーテン３０の状態が全閉状態であると判定されるまで、図１１のＳＣ６による第２報知情報の出力が継続して行われると共に、図１１のＳＣ７によるシャッターカーテン３０の下降が継続して行われる。そして、図１１のＳＣ９にてシャッターカーテン３０の状態が全閉状態であると判定されると、図１１のＳＣ１０にて第２報知情報の出力が停止されると共に、シャッターカーテン３０の下降も停止される。
【０１０７】
以上のような処理により、携帯端末１２０のユーザによって第２操作情報を指定する操作が行われた場合の状態制御処理（すなわち、第２制御によるシャッターカーテン３０の状態を所定の状態（全閉状態）に制御する処理）においては、その他の状態制御処理（すなわち、第１制御によるシャッターカーテン３０の状態を所定の状態（全閉状態）に制御する処理）に比べて、シャッターカーテン３０の状態の制御を行う際に、第１報知情報及び第２報知情報を建物にいる人に対して提示できるので、携帯端末１２０のユーザがシャッター１の周囲の状況を把握できなくても、建物にいる人がシャッターカーテン３０に挟まれたり、上記人が建物の外に締め出されることを抑制できる。
【０１０８】
（処理−異常処理）
次に、異常処理について説明する。異常処理は、異常状態に応じたシャッターカーテン３０の制御を行うための処理である。この異常処理を実行するタイミングは任意であるが、実施の形態では、開閉機４０、異常検知部５１、電源装置６０、シャッター側制御装置８０、中継装置９０、端末装置１１０、及び携帯端末１２０に電源が投入された後に起動され、状態制御処理と並行して実行される。
【０１０９】
異常処理が起動されると、図１２に示すように、まず、ＳＤ１においてシャッター側制御装置８０の制御部８５は、上記異常状態であるか否かを判定する。そして、シャッター側制御装置８０の制御部８５は、上記異常状態であると判定されるまで待機し（ＳＤ１、Ｎｏ）、上記異常状態であると判定された場合（ＳＤ１、Ｙｅｓ）にＳＤ２に移行する。なお、ＳＤ１にて上記異常状態であると判定されると、後述するＳＤ３において復旧信号が受信されるまで、上記異常状態が維持される。
【０１１０】
ＳＤ２においてシャッター側制御装置８０の制御部８５は、異常状態に応じたシャッター１の制御（以下、「異常制御」と称する）を実行する。この異常制御の具体的な制御内容については任意であるが、例えば、シャッターカーテン３０の昇降中にＳＤ１にて異常状態であると判定されると、シャッターカーテン３０の昇降を停止させる。一例として、異常検知部５１が過負荷検知センサである場合において、シャッターカーテン３０の下降中に異常が検知された場合には、シャッターカーテン３０の下降を停止した後に、所定の高さだけシャッターカーテン３０を上昇させる。また、異常検知部５１が熱検知センサ（又は使用頻度検知センサ）である場合において、シャッターカーテン３０の昇降中に異常が検知された場合には、シャッターカーテン３０の昇降を停止させる。
【０１１１】
ＳＤ３においてシャッター側制御装置８０の制御部８５は、操作部８１から復旧信号を受信したか否かを判定する。ここで、「復旧信号」とは、異常検知部５１の検知状態をＳＤ１にて異常状態であると判定される前の状態に復旧させるための信号（すなわち、異常を解除するための信号）を意味し、実施の形態では、操作部８１から送信される第１操作信号を「復旧信号」として説明する。そして、シャッター側制御装置８０の制御部８５は、復旧信号を受信するまで待機し（ＳＤ３、Ｎｏ）、復旧信号を受信した場合（ＳＤ３、Ｙｅｓ）には、ＳＤ１に移行し（すなわち、異常状態を復旧させるための処理を行う）、以降同様に、ＳＤ１からＳＤ３の処理を繰り返す。また、これに加えて、図１０の状態制御処理においては、ＳＢ２に移行して、復旧信号（第１操作信号）に対応する第１制御を実行する（すなわち、シャッターカーテン３０の状態を制御するための処理を行う）。
【０１１２】
このような異常処理により、異常状態である場合にシャッターカーテン３０を昇降させることを回避できるので、シャッターカーテン３０及びそれに関連する装置の破損等を防止できる。
【０１１３】
（実施の形態の効果）
このように実施の形態によれば、第１制御によってシャッターカーテン３０の状態を所定の状態に制御するための制御内容と、第２制御によってシャッターカーテン３０の状態を所定の状態に制御するための制御内容とをそれぞれ異ならせたので、建物にいる人の安全性の確保、シャッター１の使用性の確保、又は建物のセキュリティの確保を、第１制御を行う場合にはシャッター側制御装置８０又は端末装置１１０のユーザに委ねる一方で、第２制御を行う場合には自動的な制御により行うことができる。また、第１の状態種類と第２の状態種類とをそれぞれ異ならせたので、第１の状態種類と第２の状態種類とを同一とした場合に比べて、第２制御において、建物にいる人の安全性の確保、シャッター１の使用性の確保、又は建物のセキュリティの確保を考慮したシャッターカーテン３０の制御を行うことができる。以上のことから、従来技術（第１操作端末及び第２操作端末の各々の操作でシャッターカーテン３０の状態を所定の状態に制御する制御内容を同一とし、及び制御可能なシャッターカーテン３０の状態の種類を同一とする技術）に比べて、シャッター１の遠隔操作におけるユーザの利便性を向上させることができる。
【０１１４】
また、状態制御部８５ａが、通信部８２又は制御部８５にて第１操作信号又は第１制御信号が受信された場合における所定の状態に制御する第１制御と、通信部８２にて第２制御信号が受信された場合における所定の状態に制御する第２制御とがそれぞれ異なるように、シャッターカーテン３０の制御を行うので、第１制御にてシャッターカーテン３０の状態を所定の状態に制御することと、第２制御にてシャッターカーテン３０の状態を所定の状態に制御することを比較的簡易な処理にて切り替えることができ、シャッター側制御装置８０の処理負荷を低減することが可能となる。
【０１１５】
また、状態制御部８５ａが、通信部８２又は制御部８５にて第１操作信号又は第１制御信号が受信された場合に、シャッターカーテン３０の状態を少なくとも全閉状態又は全開状態に制御する第１制御を行い、通信部８２にて第２制御信号が受信された場合に、シャッターカーテン３０の状態を全閉状態のみに制御する第２制御を行うので、第２の状態種類が全閉状態及びそれ以外の状態（例えば、全開状態又は非全開閉状態）を含む場合に比べて、第２制御において、不用意に全開状態又は非全開閉状態にすることを回避でき、建物のセキュリティの確保を考慮したシャッターカーテン３０の制御を効果的に行うことが可能となる。
【０１１６】
また、状態制御部８５ａが、通信部８２又は制御部８５にて第１操作信号又は第１制御信号が受信された場合に、出力部８３によって報知情報を出力させることなく、シャッターカーテン３０の状態を制御する第１制御を行い、通信部８２にて第２制御信号が受信された場合に、出力部８３によって報知情報を出力させると共に、シャッターカーテン３０の状態を制御する第２制御を行うので、第２制御において、シャッターカーテン３０の状態の制御を行う際に、報知情報を建物にいる人に対して提示でき、携帯端末１２０のユーザがシャッター１の周囲の状況を把握できなくても、上記人がシャッターカーテン３０に挟まれたり、上記人が建物の外に締め出されることを抑制できる。よって、上記人の安全性やシャッター１の使用性を考慮したシャッターカーテン３０の制御を効果的に行うことができる。
【０１１７】
また、状態制御部８５ａが、第２制御において、報知情報の出力を所定時間行った後にシャッターカーテン３０の状態を制御するので、シャッターカーテン３０の状態の制御を行う前に建物にいる人に対して報知情報を提示できる。よって、例えば、シャッターカーテン３０の状態の制御を行う前に上記人がシャッターカーテン３０から離れることができるので、上記人がシャッターカーテン３０に挟まれたり、建物の外に締め出されることを一層抑制できる。
【０１１８】
また、状態制御部８５ａが、第２制御において、報知情報の出力を、第１の出力態様で所定時間の一部の間行った後に、第２の出力態様で所定時間の他の一部の間行うので、建物にいる人が報知情報の出力態様に基づいてシャッターカーテン３０の状態の制御が開始されるタイミングが近づいているか否かを容易に把握することができ、上記人がシャッターカーテン３０に挟まれたり、建物の外に締め出されることをさらに一層抑制できる。
【０１１９】
また、状態制御部８５ａが、第２制御において、報知情報の出力を、シャッターカーテン３０の状態の制御を開始してから終了するまでの間行うので、シャッターカーテン３０の状態を制御している間において報知情報を建物にいる人に対して提示でき、上記人がシャッターカーテン３０に挟まれたり、建物の外に締め出されることをさらに一層抑制できる。
【０１２０】
また、状態制御部８５ａが、第２制御において、異常検知部５１にて異常が検知された場合には、異常が解除されるまで、通信部８２にて第２制御信号が受信されてもシャッターカーテン３０の状態を制御しないので、異常が検知された後に第２制御によってシャッターカーテン３０の状態を不用意に制御することを回避でき、例えばシャッターカーテン３０又は関連部品等が破損することを防止できる。
【０１２１】
また、状態制御部８５ａが、第１制御が行われているときに通信部８２にて第２制御信号が受信された場合、又は第２制御が行われているときに通信部８２又は制御部８５にて第１操作信号又は第１制御信号が受信された場合には、第１制御を第２制御よりも優先させるので、建物にいる人の状況に応じたシャッターカーテン３０の制御を行うことができ、上記人の安全性、シャッター１の使用性、又は建物のセキュリティを考慮したシャッターカーテン３０の制御を効果的に行うことが可能となる。
【０１２２】
〔ＩＩＩ〕実施の形態に対する変形例
以上、本発明の実施の形態について説明したが、本発明の具体的な構成及び手段は、特許請求の範囲に記載した各発明の技術的思想の範囲内において、任意に改変及び改良することができる。以下、このような変形例について説明する。
【０１２３】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。例えば、本発明に係るシャッター１の制御システムにおけるシャッター１の遠隔操作におけるユーザの利便性が従来と同程度であっても、従来と異なる構造により従来と同程度の上記ユーザの利便性を確保できている場合には、本願の課題は解決している。
【０１２４】
（分散や統合について）
また、上述した各電気的構成要素は機能概念的なものであり、必ずしも物理的に図示の如く構成されていることを要しない。すなわち、各部の分散や統合の具体的形態は図示のものに限られず、その全部または一部を、各種の負荷や使用状況などに応じて、任意の単位で機能的または物理的に分散又は統合して構成できる。また、本出願における「装置」とは、単一の装置によって構成されたものに限定されず、複数の装置によって構成されたものを含む。例えば、シャッター側制御装置８０を、相互に通信可能に構成された複数の装置に分散して構成し、これら複数の装置の一部に制御部８５を設けると共に、これら複数の装置の他の一部にデータ記録部８６を設けてもよい。
【０１２５】
（形状、数値、構造、時系列について）
実施の形態や図面において例示した構成要素に関して、形状、数値、又は複数の構成要素の構造若しくは時系列の相互関係については、本発明の技術的思想の範囲内において、任意に改変及び改良することができる。
【０１２６】
（シャッターカーテンについて）
上記実施の形態では、シャッターカーテン３０がスクリーン式のシャッターカーテン３０であると説明したが、これに限られず、例えば、ブラインド式のシャッターカーテン３０であってもよい。この場合には、状態制御処理のＳＢ２及び第２制御処理のＳＣ７からＳＣ９において、シャッターカーテン３０の状態をスラット３２が所定角度で傾斜している状態であるスラット傾斜状態に制御するように、シャッターカーテン３０を昇降させてもよい。
【０１２７】
（第１の状態種類及び第２の状態種類について）
上記実施の形態では、第１の状態種類と第２の状態種類とを異ならせていると説明したが、これに限られず、例えば、第１の状態種類と第２の状態種類とが同一であってもよい。この場合には、状態テーブル１０４ａに格納されている状態情報のうち、操作端末種類情報＝携帯端末に対応する状態情報として、シャッターカーテン３０の状態である「全閉状態」、「全開状態」、「非全開閉状態」が該当する。また、第２操作テーブル１２７ａに格納されている第２操作情報として、「閉鎖」、「開放」、「停止」が該当する。あるいは、状態テーブル１０４ａに格納されている状態情報のうち、操作端末種類情報＝端末装置に対応する状態情報及び操作端末種類情報＝携帯端末に対応する状態情報として、シャッターカーテン３０の状態である「全閉状態」、「全開状態」が該当してもよい。また、第２操作テーブル１２７ａに格納されている第２操作情報として、「閉鎖」、「開放」が該当する。
【０１２８】
（シャッター側制御装置について）
上記実施の形態では、シャッター側制御装置８０が、中央制御装置１００から送信された第２制御信号を中継装置９０を介して受信すると説明したが、これに限られない。例えば、シャッター側制御装置８０は、外部ネットワーク１３０を介して通信可能な通信部８２を備え、中央制御装置１００を介することなく（すなわち、ＨＥＭＳの通信規格を用いることなく）、携帯端末１２０から送信された第２操作信号（状態情報を含む）を外部ネットワーク１３０を介して受信してもよい。
【０１２９】
また、上記実施の形態では、シャッター側制御装置８０の出力部８３が音声出力手段であると説明したが、これに限られず、例えば、シャッターカーテン３０よりも建物の屋外側にいる人が視認可能な位置に設けられた表示手段であって公知の表示手段（例えば、ＬＥＤ、ディスプレイ等）であってもよい。この場合には、第２制御処理のＳＣ１において、第１報知情報の出力を、出力部８３の点滅表示によってＳＣ５の所定時間の一部の間行った後、出力部８３の点灯表示によってＳＣ５の所定時間の他の一部の間行ってもよい。
【０１３０】
（端末装置について）
上記実施の形態では、端末装置１１０は、第７ケーブル９を介して第１操作信号を中央制御装置１００に送信すると説明したが、これに限られず、例えば、Ｗｉ−Ｆｉ通信を利用したネットワークを介して第１操作信号を中央制御装置１００に送信してもよい。
【０１３１】
（携帯端末について）
上記実施の形態では、携帯端末１２０は、外部ネットワーク１３０を介して第２操作信号を中央制御装置１００に送信すると説明したが、これに限られない。例えば、中央制御装置１００が内部ネットワーク（一例として、Ｗｉ−Ｆｉ通信を利用したネットワーク等）を介して携帯端末１２０と通信できる場合には、携帯端末１２０は、上述した第１操作信号の送信方法を用いて、外部ネットワーク１３０を介することなく、内部ネットワークを介して第１操作信号を送信してもよい。
【０１３２】
（状態制御処理について）
上記実施の形態では、ＳＢ３からＳＢ５の処理が行われると説明したが、これに限られない。例えば、シャッター側制御装置８０に第２制御を有効にするか否かを切り替える切替手段を備え、切替手段によって第２制御を有効にしないように切り替えられた場合には、ＳＢ３からＳＢ５の処理が行われないようにしてもよい。これにより、状況に応じて第２制御を有効にするか否かを切り替えることができ、建物にいる人の安全性、シャッター１の使用性、又は建物のセキュリティを考慮した制御を一層効果的に行うことが可能となる。
【０１３３】
また、上記実施の形態では、ＳＢ３にて受信される第２制御信号に含まれる状態情報＝「全閉状態」のみであると説明したが、これに限られず、例えば、状態情報＝「全開状態」、「非全開閉状態（半開状態）」であってもよい（すなわち、所定の状態が、全開状態又は非全開閉状態であってもよい）。この場合には、第２制御処理のＳＣ７からＳＣ９の処理において、所定の条件を満たす場合にのみ、シャッターカーテン３０の状態を全開状態又は非全開閉状態に制御するために、シャッターカーテン３０を昇降させてもよい。一例として、中央制御装置１００から取得された家電機器の使用状態を示す情報に基づいて建物に人がいるか否かを判定し、建物に人がいると判定された場合にのみ、シャッターカーテン３０の状態を全開状態又は非全開閉状態に制御するために、シャッターカーテン３０を昇降させてもよい。このような制御により、上記所定条件を満たすことを問わずに、シャッターカーテン３０の状態を全開状態又は非全開閉状態に制御する場合に比べて、建物のセキュリティを確保することができ、建物のセキュリティを考慮した制御を一層行うことができる。
【０１３４】
また、上記実施の形態では、第１制御が行われているときに第２操作信号が受信された場合、又は第２制御が行われているときに第１操作信号が受信された場合には、第１制御を第２制御よりも優先させると説明したが、これに限られず、例えば、第１制御を第２制御よりも優先させなくてもよい。この場合には、ＳＢ４、及び第２制御処理のＳＣ３、ＳＣ８を省略できる。
【０１３５】
（第２制御処理について）
上記実施の形態では、ＳＣ１からＳＣ５の処理が行われると説明したが、これに限られず、例えば、ＳＣ１からＳＣ５の処理を省略してもよい。また、上記実施の形態では、ＳＣ６、ＳＣ１０の処理が行われると説明したが、これに限られず、例えば、ＳＣ６、ＳＣ１０の処理を省略してもよい。なお、ＳＣ１からＳＣ６、ＳＣ１０の処理を省略する場合には、例えば、報知情報を出力させることなく、ＳＣ７の処理（シャッターカーテン３０の下降）を行ってもよい（すなわち、第１制御によってシャッターカーテン３０の状態を所定の状態に制御するための制御内容と、第２制御によってシャッターカーテン３０の状態を所定の状態に制御するための制御内容とが同一であってもよい）。あるいは、ＳＣ７の処理において、報知情報を出力させることなく、当該処理にてシャッターカーテン３０の状態を制御する時間（すなわち、シャッターカーテン３０の下降時間）と図１０のＳＢ２の第１制御にてシャッターカーテン３０の状態を制御する時間（すなわち、シャッターカーテン３０の下降時間）とが異なるように、シャッターカーテン３０を下降させてもよい。一例としては、シャッターカーテン３０の状態を人が通過できる程度に開放された非開閉状態に制御するために、シャッターカーテン３０を下降させ、当該下降してから所定時間経過後（例えば、１０ｍｉｎ等）にシャッターカーテン３０の状態を全閉状態に制御するために、シャッターカーテン３０をさらに下降させてもよい。あるいは、シャッターカーテン３０の状態を全閉状態に制御するために、シャッターカーテン３０を下降させるものの、その下降速度を、図１０のＳＢ２の第１制御にてシャッターカーテン３０を下降させるときの下降速度よりも遅くしてもよい。このような処理により、シャッターカーテン３０の状態の制御を行う際に、報知情報を出力しなくても、上記人がシャッターカーテン３０に挟まれたり、上記人が建物の外に締め出されることを抑制できる。
【０１３６】
（異常処理について）
上記実施の形態では、異常処理が行われると説明したが、これに限られず、例えば、異常処理を省略してもよい。
【０１３７】
（付記）
付記１のシャッター側制御装置は、建物の開口部の開閉を行うためのシャッターカーテンの状態を制御するためのシャッター側制御装置であり、第１操作端末と外部ネットワークを介さずに通信可能に接続されていると共に、第２操作端末と前記外部ネットワークを介して通信可能に接続されているシャッター側制御装置であって、前記シャッターカーテンの状態を制御するための第１操作信号を前記第１操作端末から受信し、又は前記シャッターカーテンの状態を制御するための第２操作信号を前記第２操作端末から受信する通信手段と、前記通信手段にて受信された前記第１操作信号に基づいて前記シャッターカーテンの状態を制御する第１制御と、前記通信手段にて受信された前記第２操作信号に基づいて前記シャッターカーテンの状態を制御する第２制御と、を行う状態制御手段と、を備え、前記第１制御によって前記シャッターカーテンの状態を所定の状態に制御するための制御内容と、前記第２制御によって前記シャッターカーテンの状態を前記所定の状態に制御するための制御内容とをそれぞれ異ならせ、又は／及び、前記第１制御によって制御される前記シャッターカーテンの状態の種類である第１の状態種類と、前記第２制御によって制御される前記シャッターカーテンの状態の種類である第２の状態種類とをそれぞれ異ならせた。
【０１３８】
付記２のシャッター側制御装置は、付記１に記載のシャッター側制御装置において、前記第１操作信号又は前記第２操作信号は、前記シャッターカーテンの状態を前記所定の状態に制御するための信号であり、前記状態制御手段は、前記通信手段にて前記第１操作信号が受信された場合における前記所定の状態に制御する前記第１制御と、前記通信手段にて前記第２操作信号が受信された場合における前記所定の状態に制御する前記第２制御とがそれぞれ異なるように、前記シャッターカーテンの制御を行う。
【０１３９】
付記３のシャッター側制御装置は、付記１又は２に記載のシャッター側制御装置において、前記第１の状態種類は、少なくとも、前記シャッターカーテンによって前記開口部を全閉した全閉状態と、前記シャッターカーテンによって前記開口部を全開した全開状態とを含み、前記第２の状態種類は、前記全閉状態のみを含み、前記第１操作信号は、前記シャッターカーテンの状態を少なくとも前記全閉状態又は前記全開状態に制御するための信号であり、前記第２操作信号は、前記シャッターカーテンの状態を前記全閉状態のみに制御するための信号であり、前記状態制御手段は、前記通信手段にて前記第１操作信号が受信された場合に、前記シャッターカーテンの状態を少なくとも前記全閉状態又は前記全開状態に制御する前記第１制御を行い、前記通信手段にて前記第２操作信号が受信された場合に、前記シャッターカーテンの状態を前記全閉状態のみに制御する前記第２制御を行う。
【０１４０】
付記４のシャッター側制御装置は、付記１から３のいずれか一項に記載のシャッター側制御装置において、前記シャッターカーテンの状態を制御する旨を示す報知情報を出力する出力手段を備え、前記状態制御手段は、前記通信手段にて前記第１操作信号が受信された場合に、前記出力手段によって前記報知情報を出力させることなく、前記シャッターカーテンの状態を制御する前記第１制御を行い、前記通信手段にて前記第２操作信号が受信された場合に、前記出力手段によって前記報知情報を出力させると共に、前記シャッターカーテンの状態を制御する前記第２制御を行う。
【０１４１】
付記５のシャッター側制御装置は、付記４に記載のシャッター側制御装置において、前記状態制御手段は、前記第２制御において、前記報知情報の出力を所定時間行った後に前記シャッターカーテンの状態を制御する。
【０１４２】
付記６のシャッター側制御装置は、付記５に記載のシャッター側制御装置において、前記状態制御手段は、前記第２制御において、前記報知情報の出力を、第１の出力態様で前記所定時間の一部の間行った後に、前記第１の出力態様とは異なる第２の出力態様で前記所定時間の他の一部の間行う。
【０１４３】
付記７のシャッター側制御装置は、付記４から６のいずれか一項に記載のシャッター側制御装置において、前記状態制御手段は、前記第２制御において、前記報知情報の出力を、前記シャッターカーテンの状態の制御を開始してから終了するまでの間行う。
【０１４４】
付記８のシャッター側制御装置は、付記１から７のいずれか一項に記載のシャッター側制御装置において、前記シャッターカーテンに関する異常を検知する異常検知手段を備え、前記状態制御手段は、前記第２制御において、前記異常検知手段にて異常が検知された場合には、前記異常が解除されるまで、前記通信手段にて前記第２操作信号が受信されても前記シャッターカーテンの状態を制御しない。
【０１４５】
付記９のシャッター側制御装置は、付記１から８のいずれか一項に記載のシャッター側制御装置において、前記状態制御手段は、前記第１制御が行われているときに前記通信手段にて前記第２操作信号が受信された場合、又は前記第２制御が行われているときに前記通信手段にて前記第１操作信号が受信された場合には、前記第１制御を前記第２制御よりも優先させる。
【０１４６】
付記１０のシャッター側制御装置は、付記１から９のいずれか一項に記載のシャッター側制御装置において、前記第２制御を有効にするか否かを切り替える切替手段を備えた。
【０１４７】
付記１１のシャッターの制御システムは、建物の開口部の開閉を行うためのシャッターカーテンの状態を制御する制御システムであって、前記シャッターカーテンの制御を行うシャッター側制御装置と、前記シャッター側制御装置と外部ネットワークを介さずに通信可能に接続されている第１操作端末と、前記シャッター側制御装置と前記外部ネットワークを介して通信可能に接続されている第２操作端末と、を備え、前記シャッター側制御装置は、前記シャッターカーテンの状態を制御するための第１操作信号を前記第１操作端末から受信し、又は前記シャッターカーテンの状態を制御するための第２操作信号を前記第２操作端末から受信する通信手段と、前記通信手段にて受信された前記第１操作信号に基づいて前記シャッターカーテンの状態を制御する第１制御と、前記通信手段にて受信された前記第２操作信号に基づいて前記シャッターカーテンの状態を制御する第２制御と、を行う状態制御手段と、を備え、前記第１制御によって前記シャッターカーテンの状態を所定の状態に制御するための制御内容と、前記第２制御によって前記シャッターカーテンの状態を前記所定の状態に制御するための制御内容とをそれぞれ異ならせ、又は／及び、前記第１制御によって制御される前記シャッターカーテンの状態の種類である第１の状態種類と、前記第２制御によって制御される前記シャッターカーテンの状態の種類である第２の状態種類とをそれぞれ異ならせた。
【０１４８】
（付記の効果）
付記１に記載のシャッター側制御装置又は付記１１に記載のシャッターの制御システムによれば、第１制御によってシャッターカーテンの状態を所定の状態に制御するための制御内容と、第２制御によってシャッターカーテンの状態を所定の状態に制御するための制御内容とをそれぞれ異ならせたので、建物にいる人の安全性の確保、シャッターの使用性の確保、又は建物のセキュリティの確保を、第１制御を行う場合には第１操作端末のユーザに委ねる一方で、第２制御を行う場合には自動的な制御により行うことができる。また、第１の状態種類と第２の状態種類とをそれぞれ異ならせたので、第１の状態種類と第２の状態種類とを同一とした場合に比べて、第２制御において、建物にいる人の安全性の確保、シャッターの使用性の確保、又は建物のセキュリティの確保を考慮したシャッターカーテンの制御を行うことができる。以上のことから、従来技術（第１操作端末及び第２操作端末の各々の操作でシャッターカーテンの状態を所定の状態に制御する制御内容を同一とし、及び制御可能なシャッターカーテンの状態の種類を同一とする技術）に比べて、シャッターの遠隔操作におけるユーザの利便性を向上させることができる。
【０１４９】
付記２に記載のシャッター側制御装置によれば、状態制御手段が、通信手段にて第１操作信号が受信された場合における所定の状態に制御する第１制御と、通信手段にて第２操作信号が受信された場合における所定の状態に制御する第２制御とがそれぞれ異なるように、シャッターカーテンの制御を行うので、第１制御にてシャッターカーテンの状態を所定の状態に制御することと、第２制御にてシャッターカーテンの状態を所定の状態に制御することを比較的簡易な処理にて切り替えることができ、シャッター側制御装置の処理負荷を低減することが可能となる。
【０１５０】
付記３に記載のシャッター側制御装置によれば、状態制御手段が、通信手段にて第１操作信号が受信された場合に、シャッターカーテンの状態を少なくとも全閉状態又は全開状態に制御する第１制御を行い、通信手段にて第２操作信号が受信された場合に、シャッターカーテンの状態を全閉状態のみに制御する第２制御を行うので、第２の状態種類が全閉状態及びそれ以外の状態（例えば、全開状態又は後述する非全開閉状態）を含む場合に比べて、第２制御において、不用意に全開状態又は後述する非全開閉状態にすることを回避でき、建物のセキュリティの確保を考慮したシャッターカーテンの制御を効果的に行うことが可能となる。
【０１５１】
付記４に記載のシャッター側制御装置によれば、状態制御手段が、通信手段にて第１操作信号が受信された場合に、出力手段によって報知情報を出力させることなく、シャッターカーテンの状態を制御する第１制御を行い、通信手段にて第２操作信号が受信された場合に、出力手段によって報知情報を出力させると共に、シャッターカーテンの状態を制御する第２制御を行うので、第２制御において、シャッターカーテンの状態の制御を行う際に、報知情報を建物にいる人に対して提示でき、第２操作端末のユーザがシャッターの周囲の状況を把握できなくても、上記人がシャッターカーテンに挟まれたり、上記人が建物の外に締め出されることを抑制できる。よって、上記人の安全性やシャッターの使用性を考慮したシャッターカーテンの制御を効果的に行うことができる。
【０１５２】
付記５に記載のシャッター側制御装置によれば、状態制御手段が、第２制御において、報知情報の出力を所定時間行った後にシャッターカーテンの状態を制御するので、シャッターカーテンの状態の制御を行う前に建物にいる人に対して報知情報を提示できる。よって、例えば、シャッターカーテンの状態の制御を行う前に上記人がシャッターカーテンから離れることができるので、上記人がシャッターカーテンに挟まれたり、建物の外に締め出されることを一層抑制できる。
【０１５３】
付記６に記載のシャッター側制御装置によれば、状態制御手段が、第２制御において、報知情報の出力を、第１の出力態様で所定時間の一部の間行った後に、第２の出力態様で所定時間の他の一部の間行うので、建物にいる人が報知情報の出力態様に基づいてシャッターカーテンの状態の制御が開始されるタイミングが近づいているか否かを容易に把握することができ、上記人がシャッターカーテンに挟まれたり、建物の外に締め出されることをさらに一層抑制できる。
【０１５４】
付記７に記載のシャッター側制御装置によれば、状態制御手段が、第２制御において、報知情報の出力を、シャッターカーテンの状態の制御を開始してから終了するまでの間行うので、シャッターカーテンの状態を制御している間において報知情報を建物にいる人に対して提示でき、上記人がシャッターカーテンに挟まれたり、建物の外に締め出されることをさらに一層抑制できる。
【０１５５】
付記８に記載のシャッター側制御装置によれば、状態制御手段が、第２制御において、異常検知手段にて異常が検知された場合には、異常が解除されるまで、通信手段にて第２操作信号が受信されてもシャッターカーテンの状態を制御しないので、異常が検知された後に第２制御によってシャッターカーテンの状態を不用意に制御することを回避でき、例えばシャッターカーテン又は関連部品等が破損することを防止できる。
【０１５６】
付記９に記載のシャッター側制御装置によれば、状態制御手段が、第１制御が行われているときに通信手段にて第２操作信号が受信された場合、又は第２制御が行われているときに通信手段にて第１操作信号が受信された場合には、第１制御を第２制御よりも優先させるので、建物にいる人の状況に応じたシャッターカーテンの制御を行うことができ、上記人の安全性、シャッターの使用性、又は建物のセキュリティを考慮したシャッターカーテンの制御を効果的に行うことが可能となる。
【０１５７】
付記１０に記載のシャッター側制御装置によれば、第２制御を有効にするか否かを切り替える切替手段を備えたので、状況に応じて第２制御を有効にするか否かを切り替えることができ、建物にいる人の安全性、シャッターの使用性、又は建物のセキュリティを考慮したシャッターカーテンの制御を一層効果的に行うことが可能となる。
【符号の説明】
【０１５８】
１  シャッター
２  開口部
３  第１ケーブル
４  第２ケーブル
５  第３ケーブル
６  第４ケーブル
７  第５ケーブル
８  第６ケーブル
９  第７ケーブル
１０  枠体
１１  左縦枠
１２  右縦枠
１３  下枠
２０  シャッター収納部
３０  シャッターカーテン
３１  座板
３２  スラット
４０  開閉機
５０  位置検知部
５１  異常検知部
６０  電源装置
７０  管理システム
８０  シャッター側制御装置
８１  操作部
８１ａ  開放ボタン
８１ｂ  閉鎖ボタン
８１ｃ  停止ボタン
８２  通信部
８３  出力部
８４  電源部
８５  制御部
８５ａ  状態制御部
８６  データ記録部
９０  中継装置
１００  中央制御装置
１０１  通信部
１０２  電源部
１０３  制御部
１０４  データ記録部
１０４ａ  状態テーブル
１１０  端末装置
１１１  操作部
１１２  通信部
１１３  出力部
１１４  電源部
１１５  制御部
１１６  データ記録部
１１６ａ  第１操作テーブル
１２０  携帯端末
１２１  通信部
１２２  タッチパッド
１２３  ディスプレイ
１２５  電源部
１２６  制御部
１２７  データ記録部
１２７ａ  第２操作テーブル
１３０  外部ネットワーク
【図１】
2018084044.tif 000003
【図２】
2018084044.tif 000004
【図３】
2018084044.tif 000005
【図４】
2018084044.tif 000006
【図５】
2018084044.tif 000007
【図６】
2018084044.tif 000008
【図７】
2018084044.tif 000009
【図８】
2018084044.tif 000010
【図９】
2018084044.tif 000011
【図１０】
2018084044.tif 000012
【図１１】
2018084044.tif 000013
【図１２】
2018084044.tif 000014